(57)【要約】  本発明が開示した物理アップリンク共有チャネルの伝送方法及び装置において、端末は、サブフレームｎにおいて検出されたアップリンクＤＣＩフォーマットを利用するダウンリンク制御チャネル及び/またはＰＨＩＣＨに基づき、スペシャルサブフレームｎ+ｋにおいて伝送されるＰＵＳＣＨを調整またはスケジューリングし、前記ｋは予め設定した値である。基地局は、サブフレームｎにおいて、アップリンクＤＣＩフォーマットを利用するダウンリンク制御チャネル及び/またはＰＨＩＣＨを送信し、端末がスペシャルサブフレームｎ+ｋにおいてＰＵＳＣＨを伝送するように、調整またはスケジューリングし、前記ｋは予め設定した値である。本発明は、スペシャルサブフレームにおいてＰＵＳＣＨを伝送するためのスケジューリングタイミング定義を提供して、スペシャルサブフレームにおいて、ＰＵＳＣＨを正常に伝送することができるようになる。
2019519171.tif 000002
【特許請求の範囲】
【請求項１】
端末は、サブフレームｎにおいて検出されたアップリンクダウンリンク制御指示（ＤＣＩ）フォーマットを利用するダウンリンク制御チャネル及び/または物理ハイブリッド自動再送要求（ＨＡＲＱ）指示チャネル（ＰＨＩＣＨ）に基づき、スペシャルサブフレームｎ+ｋにおいて伝送されるＰＵＳＣＨを調整またはスケジューリングし、前記ｋは予め設定した値であることを特徴とする物理アップリンク共有チャネル（ＰＵＳＣＨ）の伝送方法。
【請求項２】
ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項１に記載の物理アップリンク共有チャネル（ＰＵＳＣＨ）の伝送方法。
【請求項３】
前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルであることを特徴とする請求項２に記載の物理アップリンク共有チャネル（ＰＵＳＣＨ）の伝送方法。
【請求項４】
前記ＵＬ ｉｎｄｅｘの最低有効ビットＬＳＢと最高有効ビットＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応することを特徴とする請求項３に記載の物理アップリンク共有チャネル（ＰＵＳＣＨ）の伝送方法。
【請求項５】
ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項１に記載の物理アップリンク共有チャネル（ＰＵＳＣＨ）の伝送方法。
【請求項６】
ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義することを特徴とする請求項１に記載の物理アップリンク共有チャネル（ＰＵＳＣＨ）の伝送方法。
【請求項７】
ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義することを特徴とする請求項１に記載の物理アップリンク共有チャネル（ＰＵＳＣＨ）の伝送方法。
【請求項８】
ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義することを特徴とする請求項１に記載の物理アップリンク共有チャネル（ＰＵＳＣＨ）の伝送方法。
【請求項９】
ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義することを特徴とする請求項１に記載の物理アップリンク共有チャネル（ＰＵＳＣＨ）の伝送方法。
【請求項１０】
ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義することを特徴とする請求項１に記載の物理アップリンク共有チャネル（ＰＵＳＣＨ）の伝送方法。
【請求項１１】
前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータであることを特徴とする請求項２ないし請求項１０のいずれか１項に記載の物理アップリンク共有チャネル（ＰＵＳＣＨ）の伝送方法。
【請求項１２】
前記スペシャルサブフレームに対応するダウンリンク制御チャネルは、無線ネットワーク一時識別子（ＲＮＴＩ）や、ＤＣＩサイズや、ＤＣＩ内の指示フィールドにより決定されたスペシャルサブフレームに対応するダウンリンク制御チャネルである。ことを特徴とする請求項２ないし請求項１０のいずれか１項に記載の物理アップリンク共有チャネル（ＰＵＳＣＨ）の伝送方法。
【請求項１３】
基地局は、サブフレームｎにおいて、アップリンクダウンリンク制御指示（ＤＣＩ）フォーマットを利用するダウンリンク制御チャネル及び/または物理ハイブリッド自動再送要求（ＨＡＲＱ）指示チャネル（ＰＨＩＣＨ）を送信して、端末がスペシャルサブフレームｎ+ｋにおいてＰＵＳＣＨを伝送するように、調整またはスケジューリングし、前記ｋは予め設定した値であることを特徴とする物理アップリンク共有チャネル（ＰＵＳＣＨ）の伝送方法。
【請求項１４】
ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項１３に記載の物理アップリンク共有チャネル（ＰＵＳＣＨ）の伝送方法。
【請求項１５】
前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルであることを特徴とする請求項１４に記載の物理アップリンク共有チャネル（ＰＵＳＣＨ）の伝送方法。
【請求項１６】
前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応することを特徴とする請求項１５に記載の物理アップリンク共有チャネル（ＰＵＳＣＨ）の伝送方法。
【請求項１７】
ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項１３に記載の物理アップリンク共有チャネル（ＰＵＳＣＨ）の伝送方法。
【請求項１８】
ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義することを特徴とする請求項１３に記載の物理アップリンク共有チャネル（ＰＵＳＣＨ）の伝送方法。
【請求項１９】
ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義することを特徴とする請求項１３に記載の物理アップリンク共有チャネル（ＰＵＳＣＨ）の伝送方法。
【請求項２０】
ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義することを特徴とする請求項１３に記載の物理アップリンク共有チャネル（ＰＵＳＣＨ）の伝送方法。
【請求項２１】
ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義することを特徴とする請求項１３に記載の物理アップリンク共有チャネル（ＰＵＳＣＨ）の伝送方法。
【請求項２２】
ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義することを特徴とする請求項１３に記載の物理アップリンク共有チャネル（ＰＵＳＣＨ）の伝送方法。
【請求項２３】
前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータであることを特徴とする請求項１４ないし請求項２２のいずれか１項に記載の物理アップリンク共有チャネル（ＰＵＳＣＨ）の伝送方法。
【請求項２４】
前記スペシャルサブフレームに対応するダウンリンク制御チャネルは、無線ネットワーク一時識別子（ＲＮＴＩ）や、ＤＣＩサイズや、ＤＣＩ内の指示フィールドにより決定されたスペシャルサブフレームに対応するダウンリンク制御チャネルであることを特徴とする請求項１４ないし請求項２２のいずれか１項に記載の物理アップリンク共有チャネル（ＰＵＳＣＨ）の伝送方法。
【請求項２５】
サブフレームｎにおいて、ダウンリンク制御チャネル及び/または物理ハイブリッド自動再送要求（ＨＡＲＱ）指示チャネル（ＰＨＩＣＨ）を検出する検出モジュールと、
サブフレームｎにおいて検出されたアップリンクダウンリンク制御指示（ＤＣＩ）フォーマットを利用するダウンリンク制御チャネル及び/またはＰＨＩＣＨに基づき、スペシャルサブフレームｎ+ｋにおいて伝送されるＰＵＳＣＨを調整またはスケジューリングする調整モジュールとを備え、
前記ｋは予め設定した値であることを特徴とする物理アップリンク共有チャネル（ＰＵＳＣＨ）の伝送装置。
【請求項２６】
ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項２５に記載の物理アップリンク共有チャネル（ＰＵＳＣＨ）の伝送装置。
【請求項２７】
前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルであることを特徴とする請求項２６に記載の物理アップリンク共有チャネル（ＰＵＳＣＨ）の伝送装置。
【請求項２８】
前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応することを特徴とする請求項２７に記載の物理アップリンク共有チャネル（ＰＵＳＣＨ）の伝送装置。
【請求項２９】
ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項２５に記載の物理アップリンク共有チャネル（ＰＵＳＣＨ）の伝送装置。
【請求項３０】
ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義することを特徴とする請求項２５に記載の物理アップリンク共有チャネル（ＰＵＳＣＨ）の伝送装置。
【請求項３１】
ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義することを特徴とする請求項２５に記載の物理アップリンク共有チャネル（ＰＵＳＣＨ）の伝送装置。
【請求項３２】
ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義することを特徴とする請求項２５に記載の物理アップリンク共有チャネル（ＰＵＳＣＨ）の伝送装置。
【請求項３３】
ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義することを特徴とする請求項２５に記載の物理アップリンク共有チャネル（ＰＵＳＣＨ）の伝送装置。
【請求項３４】
ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義することを特徴とする請求項２５に記載の物理アップリンク共有チャネル（ＰＵＳＣＨ）の伝送装置。
【請求項３５】
前記スペシャルサブフレームに対応するＰＨＩＣＨは、IPHICH =２に対応するＰＨＩＣＨまたはIPHICH =１に対応するＰＨＩＣＨであり、
前記IPHICHは、ＰＨＩＣＨリソースを決定するためのパラメータであることを特徴とする請求項２６ないし請求項３４のいずれか１項に記載の物理アップリンク共有チャネル（ＰＵＳＣＨ）の伝送装置。
【請求項３６】
前記スペシャルサブフレームに対応するダウンリンク制御チャネルは、無線ネットワーク一時識別子（ＲＮＴＩ）や、ＤＣＩサイズや、ＤＣＩ内の指示フィールドにより決定されたスペシャルサブフレームに対応するダウンリンク制御チャネルであることを特徴とする請求項２６ないし請求項３４のいずれか１項に記載の物理アップリンク共有チャネル（ＰＵＳＣＨ）の伝送装置。
【請求項３７】
サブフレームｎにおいて、アップリンクダウンリンク制御指示（ＤＣＩ）フォーマットを利用するダウンリンク制御チャネル及び/または物理ハイブリッド自動再送要求（ＨＡＲＱ）指示チャネル（ＰＨＩＣＨ）を送信することを決定する決定モジュールと、
サブフレームｎにおいて、アップリンクＤＣＩフォーマットを利用するダウンリンク制御チャネル及び/またはＰＨＩＣＨを送信し、端末がスペシャルサブフレームｎ+ｋにおいてＰＵＳＣＨを伝送するように、調整またはスケジューリングする送信モジュールとを備え、
前記ｋは予め設定した値であることを特徴とする物理アップリンク共有チャネル（ＰＵＳＣＨ）の伝送装置。
【請求項３８】
ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項３７に記載の物理アップリンク共有チャネル（ＰＵＳＣＨ）の伝送装置。
【請求項３９】
前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルであることを特徴とする請求項３８に記載の物理アップリンク共有チャネル（ＰＵＳＣＨ）の伝送装置。
【請求項４０】
前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応することを特徴とする請求項３９に記載の物理アップリンク共有チャネル（ＰＵＳＣＨ）の伝送装置。
【請求項４１】
ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項３７に記載の物理アップリンク共有チャネル（ＰＵＳＣＨ）の伝送装置。
【請求項４２】
ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義することを特徴とする請求項３７に記載の物理アップリンク共有チャネル（ＰＵＳＣＨ）の伝送装置。
【請求項４３】
ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義することを特徴とする請求項３７に記載の物理アップリンク共有チャネル（ＰＵＳＣＨ）の伝送装置。
【請求項４４】
ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義することを特徴とする請求項３７に記載の物理アップリンク共有チャネル（ＰＵＳＣＨ）の伝送装置。
【請求項４５】
ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義することを特徴とする請求項３７に記載の物理アップリンク共有チャネル（ＰＵＳＣＨ）の伝送装置。
【請求項４６】
ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義することを特徴とする請求項３７に記載の物理アップリンク共有チャネル（ＰＵＳＣＨ）の伝送装置。
【請求項４７】
前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータであることを特徴とする請求項３８ないし請求項４６のいずれか１項に記載の物理アップリンク共有チャネル（ＰＵＳＣＨ）の伝送装置。
【請求項４８】
前記スペシャルサブフレームに対応するダウンリンク制御チャネルは、無線ネットワーク一時識別子（ＲＮＴＩ）や、ＤＣＩサイズや、ＤＣＩ内の指示フィールドにより決定されたスペシャルサブフレームに対応するダウンリンク制御チャネルであることを特徴とする請求項３８ないし請求項４６のいずれか１項に記載の物理アップリンク共有チャネル（ＰＵＳＣＨ）の伝送装置。
【請求項４９】
プロセッサと、メモリと、送受信機とを備え、
前記プロセッサは、前記メモリに格納されたプログラムを読み出し、
サブフレームｎにおいて検出されたアップリンクダウンリンク制御指示（ＤＣＩ）フォーマットを利用するダウンリンク制御チャネル及び/または物理ハイブリッド自動再送要求（ＨＡＲＱ）指示チャネル（ＰＨＩＣＨ）に基づき、スペシャルサブフレームｎ+ｋにおいて伝送される物理アップリンク共有チャネル（ＰＵＳＣＨ）を調整またはスケジューリングし、前記ｋは予め設定した値であり、 
前記送受信機は、前記プロセッサの制御にによりデータを送受信することを特徴とする端末。
【請求項５０】
ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項４９に記載の端末。
【請求項５１】
前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルであることを特徴とする請求項５０に記載の端末。
【請求項５２】
前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応することとを特徴とする請求項５１に記載の端末。
【請求項５３】
ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項４９に記載の端末。
【請求項５４】
ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義することを特徴とする請求項４９に記載の端末。
【請求項５５】
ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義することを特徴とする請求項４９に記載の端末。
【請求項５６】
ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義することを特徴とする請求項４９に記載の端末。
【請求項５７】
ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義することを特徴とする請求項４９に記載の端末。
【請求項５８】
ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義することを特徴とする請求項４９に記載の端末。
【請求項５９】
前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータである。ことを特徴とする請求項５０ないし請求項５８のいずれか１項に記載の端末。
【請求項６０】
前記スペシャルサブフレームに対応するダウンリンク制御チャネルは、無線ネットワーク一時識別子（ＲＮＴＩ）や、ＤＣＩサイズや、ＤＣＩ内の指示フィールドにより決定されたスペシャルサブフレームに対応するダウンリンク制御チャネルであることを特徴とする請求項５０ないし請求項５８のいずれか１項に記載の端末。
【請求項６１】
プロセッサと、メモリと、送受信機とを備え、
前記プロセッサは、メモリに格納されたプログラムを読み出して、前記送受信機のニーズに応じてデータ処理を行い、
前記送受信機は、前記プロセッサの制御によりデータを送受信し、サブフレームｎにおいて、アップリンクダウンリンク制御指示（ＤＣＩ）フォーマットを利用するダウンリンク制御チャネル及び/または物理ハイブリッド自動再送要求（ＨＡＲＱ）指示チャネル（ＰＨＩＣＨ）を送信して、端末がスペシャルサブフレームｎ+ｋにおいて伝送物理アップリンク共有チャネル（ＰＵＳＣＨ），を伝送するように、調整またはスケジューリングし、前記ｋは予め設定した値であることを特徴とする基地局。
【請求項６２】
ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項６１に記載の基地局。
【請求項６３】
前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルであることを特徴とする請求項６２に記載の基地局。
【請求項６４】
前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応することを特徴とする請求項６３に記載の基地局。
【請求項６５】
ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義することを特徴とする請求項６１に記載の基地局。
【請求項６６】
ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義することを特徴とする請求項６１に記載の基地局。
【請求項６７】
ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義することを特徴とする請求項６１に記載の基地局。
【請求項６８】
ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義することを特徴とする請求項６１に記載の基地局。
【請求項６９】
ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義することを特徴とする請求項６１に記載の基地局。
【請求項７０】
ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシ８ャルサブフレームに対応するＰＨＩＣＨ及び/またはダウンリンク制御チャネルに対し、ｋ=２またはｋ=７またはｋ=１２と定義することを特徴とする請求項６１に記載の基地局。
【請求項７１】
前記スペシャルサブフレームに対応するＰＨＩＣＨは、IPHICH =２に対応するＰＨＩＣＨまたはにIPHICH =１対応するＰＨＩＣＨであり、前記IPHICHは、ＰＨＩＣＨリソースを決定するためのパラメータであることを特徴とする請求項６２ないし請求項７０のいずれか１項に記載の基地局。
【請求項７２】
前記スペシャルサブフレームに対応するダウンリンク制御チャネルは、無線ネットワーク一時識別子（ＲＮＴＩ）や、ＤＣＩサイズや、ＤＣＩ内の指示フィールドにより決定されたスペシャルサブフレームに対応するダウンリンク制御チャネルであることを特徴とする請求項６２ないし請求項７０のいずれか１項に記載の基地局。
【発明の詳細な説明】
【技術分野】
【０００１】
本発明は、無線通信技術分野に関し、特に、物理アップリンク共有チャネルの伝送方法及び装置に関する。
【背景技術】
【０００２】
以下は、従来のＬＴＥ（ｌｏｎｇ ＴＥＲＭ Ｅｖｏｌｕｔｉｏｎ）時分割複信（ＴＤＤ）フレーム構造（ＬＴＥ Ｒｅｌ-８/９/１０/１１/１２/１３）の説明である。
【０００３】
図１に示すように、従来のＬＴＥ ＴＤＤシステムは、フレーム構造タイプ２（ｆｒａｍｅ ｓｔｒｕｃｔｕｒｅ ｔｙｐｅ ２，ＦＳ２）を使用する。ＴＤＤシステムでは、アップリンク及びダウンリンク伝送は、同一周波数上で異なるサブフレームを使用するか、異なるタイムスロットを使用する。ＦＳ２の各１０ms無線フレームは２つの５msハーフフレームで構成され、各フレームには１ms長さの５つのサブフレームが含まれている。FS２のサブフレームは、ダウンリンクサブフレームと、サブフレームと、スペシャルサブフレームの３種類に分類される。スペシャルサブフレームはダウンリンクパイロットタイムスロット（ＤｗＰＴＳ）とガード期間（ＧＰ）３つの部分から構成されている。表１は、FS２でサポートされている７つのアップリンクおよびダウンリンクサブフレーム構成を示す。Ｒｅｌ-１３までの特殊サブフレームは、ＤｗＰＴＳとＵｐＰＴＳのシンボル長を指定する表２に示すような１０種類の構成をサポートする。ＧＰの長さは、１つのサブフレームのシンボルの総数と、ＤｗＰＴＳとＵｐＰＴＳシンボル長の差から得られる。表２において、Ｘは、高位層のシグナリングにより設定された値であり、ＵｐＰＴＳの長さをさらに拡張するために使用されている。これは、ＵｐＰＴＳとしてＧＰの一部を分割するのと同等である。現在、X = ２または４シンボルがサポートされている。ＤｗＰＴＳは、ダウンリンクパイロット、ダウンリンクサービスデータ（ダウンリンク共有チャネル）、ダウンリンク制御シグナリング（ダウンリンク共有チャネル）を伝送することができる。ＧＰは信号を送信しない。ＵｐＰＴＳはランダムアクセスとサウンディング参考信号（Ｓｏｕｎｄｉｎｇ Ｒｅｆｅｒｅｎｃｅ Ｓｙｍｂｏｌ、ＳＲＳ）のみを伝送し、アップリンクサービス（アップンリンク共有チャネル）またはアップリング制御情報（アップリンク制御チャネル）を伝送することはできない。ＧＰはいかなる信号も伝送しない。ＵｐＰＴＳはランダムアクセス及びＳＲＳ（Ｓｏｕｎｄｉｎｇ ｒｅｆｅｒｅｎｃｅ Ｓｙｍｂｏｌ）のみを伝送し、アップリンク・トラフィック（例えば、アップリンク共有チャネル）や、アップリンク制御情報（例えば、アップリンク制御チャネル）を伝送することはできない。
【０００４】
【表１】
2019519171.tif 000003
【０００５】
【表２】
2019519171.tif 000004
【０００６】
以下は、従来のＬＴＥ ＴＤＤ物理アップリンク共有チャネル（Ｐｈｙｓｉｃａｌ Ｕｐｌｉｎｋ Ｓｈａｒｅｄ Ｃｈａｎｎｅｌ、ＰＵＳＣＨ）の肯定応答（Ａｃｋｎｏｗｌｅｄｇｅｍｅｎｔ，ＡＣＫ）および否定応答（Ｎｅｇａｔｉｖｅ Ａｃｋｎｏｗｌｅｄｇｅｍｅｎｔ，ＮＡＣＫ）フィードバックタイミングの説明である。
【０００７】
従来のＬＴＥ ＴＤＤシステムでは、物理アップリンク制御チャネル（ＰＵＳＣＨ）は、アップリンクサブフレームにおいてのみ送信される。端末は、ＰＵＳＣＨの番号がＮ個のアップリンクサブフレームの番号がｎ+ｋＰＨＩＣＨのであるダウンリンクサブフレームにおいて、物理ＨＡＲＱインディケータチャネル（Ｐｈｙｓｉｃａｌ Ｈｙｂｒｉｄ-ＡＲＱ Ｉｎｄｉｃａｔｏｒ Ｃｈａｎｎｅｌ，ＰＨＩＣＨ，ＡＲＱ）を受信し、当該ＰＵＳＣＨのＡＣＫ/ＮＡＣＫフィードバック情報を取得する。ここで、ｋＰＨＩＣＨの定義は表３に示すように、ＰＨＩＣＨにおいてＮＡＣＫが搬送されると、端末は、前のＰＵＳＣＨの伝送構成で再伝送する。さらに、ＰＨＩＣＨがＮＡＣＫを搬送する場合、ＵＥは直前のＰＵＳＣＨの送信構成に従ってＰＵＳＣＨを再送信する。また、ＵＥは、ＰＨＩＣＨを検出するサブフレームにおいて、ダウンリンク制御指示（Ｄｏｗｎｌｉｎｋ Ｃｏｎｔｒｏｌ Ｉｎｄｉｃａｔｏｒ，ＤＣＩ）フォーマットを利用するダウンリンク制御チャネル（アップリンク（ＵＬ）許可を搬送するダウンリンク制御チャネル）を検出する必要がある。当該ダウンリンク制御チャネルは、新しいデータインジケータ（Ｎｅｗ Ｄａｔａ ＩＮＤＩｃａｔｏｒ，ＮＤＩ）を含む。動的スケジューリングの場合、ＮＤＩが反転しているか否かは、新たなデータがあるか否かを示す。例えば、ＰＵＳＣＨが最初に送信されたときの対応するダウンリンク制御チャネルのＮＤＩが０であるため、ＮＤＩ = ０のダウンリンク制御チャネルがＰＵＳＣＨの後のＰＨＩＣＨを検出するサブフレームにおいて、受信されれば、ＮＤＩは反転されないことを示し、即ち、ち、ＰＵＳＣＨは、ダウンリンク制御チャネルによってスケジューリングされ、再送されることを示す。セミパーシステントスケジューリングの場合、ＮＤＩが１であれば再送信を示し、ＮＤＩが０であればスケジューリングシグナリングの活性化/非活性化を示す。ＮＤＩが新しいデータを示す場合、当該ダウンリンク制御チャネルは最初の送信のための新しいＰＵＳＣＨをスケジューリングする。NDIが 再伝送を示す場合、当該ダウンリンク制御チャネルが  前の PUSCHの再伝送をスケジューリングすることを示す。従って、ＰＨＩＣＨ及びアップリンクＤＣＩフォーマットを使用するダウンリンク制御チャネルの両方は、１つのＰＵＳＣＨをスケジューリングして再送信するために使用されることができる。アップリンクＤＣＩフォーマットを使用するダウンリンク制御チャネルは、新たなＰＵＳＣＨをスケジューリングして送信させることができる。１つのＰＨＩＣＨ検出サブフレームにおいてＰＨＩＣＨとダウンリンク制御チャネルが同時に検出された場合、ダウンリンク制御チャネルのＮＤＩに従って再送するか否かを決定する。再送の場合には、ダウンリンク制御チャネルに示されたスケジューリング情報（おそらく、最初の送信のスケジューリング情報と異なる）により、当該ＰＵＳＣＨを再送信する。ＰＨＩＣＨのみが受信され、かつ、ＰＨＩＣＨがＮＡＣＫを示す場合、当該ＰＵＳＣＨの最初伝送場合の同じ構成を再送信する。したがって、ＰＨＩＣＨを検出するサブフレームでは、アップリンクリンクのＤＣＩフォーマットを用いたダウンリンクリンク制御チャネルが検出されない場合があり、検出されないない場合には、ＰＨＩＣＨにて搬送されるフィードバック情報に基づいて再送するか否かを決定する。検出した場合、アップリンクＤＣＩフォーマットを使用するダウンリンク制御チャネルにより、再送信するか否かを決定する。
【０００８】
また、端末がアップリンクＤＣＩフォーマットを利用するダウンリンクリンク制御チャネル及び/又はＰＨＩＣＨを検出した場合、再送又は初回送信に対応するＰＵＳＣＨが位置するサブフレームを定義した。すなわち、ＰＵＳＣＨのスケジューリングタイミングは、表４の通りである。端末は、サブフレームｎで検出されたアップリンクＤＣＩフォーマットを利用するダウンリンクリンク制御チャネル及び/又はＰＨＩＣＨに従って、サブフレームｎ+ｋにおけるＰＵＳＣＨ送信を調整する。
【０００９】
【表３】
2019519171.tif 000005
【００１０】
【表４】
2019519171.tif 000006
【００１１】
説明したいのは、表３および表４の番号は、無線フレームを単位としたものであり、番号ｎ+ｋであるサブフレームは、ｎ+ｋが９より大きい場合は、次の無線フレームのサブフレームを示する。
【００１２】
先行技術の欠点は、従来のＬＴＥシステムでは、スペシャルサブフレームにおけるＵｐＰＴＳ上のＰＵＳＣＨ伝送をサポートしないため、スペシャルサブフレームでＵｐＰＴＳで送信されるＰＵＳＣＨのスケジューリングタイミングは定義されていない。
【発明の概要】
【発明が解決しようとする課題】
【００１３】
本発明は、ＰＵＳＣＨの伝送方法及び装置を提供し、スペシャルサブフレーム内のＵｐＰＴＳにおけるＰＵＳＣＨ送信を可能にする。
【課題を解決するための手段】
【００１４】
本発明の実施例に係るＰＵＳＣＨの伝送方法は、端末は、サブフレームｎにおいて検出されたアップリンクＤＣＩフォーマットを利用するダウンリンク制御チャネル及び/またはＰＨＩＣＨに基づき、スペシャルサブフレームｎ+ｋにおいて伝送されるＰＵＳＣＨを調整またはスケジューリングし、前記ｋは予め設定した値である。
【００１５】
好ましくは、ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【００１６】
好ましくは、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルである。
【００１７】
好ましくは、前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応する。
【００１８】
好ましくは、ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【００１９】
好ましくは、ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義する。
【００２０】
好ましくは、ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義する。
【００２１】
好ましくは、ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義する。
【００２２】
好ましくは、ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義する。 
好ましくは、ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義する。
【００２３】
好ましくは、前記スペシャルサブフレームに対応するＰＨＩＣＨは、に対応するIPHICH=２に対応するＰＨＩＣＨまたはIPHICH=１に対応するＰＨＩＣＨであり、前記IPHICHは、ＰＨＩＣＨリソースを決定するためのパラメータである。
【００２４】
好ましくは、前記スペシャルサブフレームに対応するダウンリンク制御チャネルは、ＲＮＴＩまたはＤＣＩサイズまたはＤＣＩ内の指示フィールドにより決定されたスペシャルサブフレームに対応するダウンリンク制御チャネルである。
【００２５】
本発明の実施例に係るＰＵＳＣＨの伝送方法は、基地局は、サブフレームｎにおいて、アップリンクＤＣＩフォーマットを利用するダウンリンク制御チャネル及び/またはＰＨＩＣＨを送信し、端末がスペシャルサブフレームｎ+ｋにおいてＰＵＳＣＨを伝送するように、調整またはスケジューリングし、前記ｋは予め設定した値である。
【００２６】
好ましくは、ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【００２７】
好ましくは、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルである。
【００２８】
好ましくは、前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応する。
【００２９】
好ましくは、ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【００３０】
好ましくは、ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義する。
【００３１】
好ましくは、ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義する。
【００３２】
好ましくは、ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義する。
【００３３】
好ましくは、ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義する。 
好ましくは、ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義する。
【００３４】
好ましくは、前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータである。
【００３５】
好ましくは、前記スペシャルサブフレームに対応するダウンリンク制御チャネルは、ＲＮＴＩまたはＤＣＩサイズまたはＤＣＩ内の指示フィールドにより決定されたスペシャルサブフレームに対応するダウンリンク制御チャネルである。
【００３６】
本発明の実施例に係るＰＵＳＣＨの伝送装置は、
サブフレームｎにおいてダウンリンク制御チャネル及び/またはＰＨＩＣＨを検出する検出モジュールと、
サブフレームｎにおいて検出されたアップリンクＤＣＩフォーマットを利用するダウンリンク制御チャネル及び/またはＰＨＩＣＨに基づき、スペシャルサブフレームｎ+ｋにおいて伝送されるＰＵＳＣＨを調整またはスケジューリングする調整モジュールとを備る。前記ｋは予め設定した値である。
【００３７】
好ましくは、ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【００３８】
好ましくは、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルである。
【００３９】
好ましくは、前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応する。
【００４０】
好ましくは、ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【００４１】
好ましくは、ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義する。
【００４２】
好ましくは、ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義する。
【００４３】
好ましくは、ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義する。
【００４４】
好ましくは、ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義する。 
好ましくは、ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義する。
【００４５】
好ましくは、前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータである。
【００４６】
好ましくは、前記スペシャルサブフレームに対応するダウンリンク制御チャネルは、ＲＮＴＩまたはＤＣＩサイズまたはＤＣＩ内の指示フィールドにより決定されたスペシャルサブフレームに対応するダウンリンク制御チャネルである。
【００４７】
本発明の実施例に係るＰＵＳＣＨの伝送装置は、
サブフレームｎにおいてアップリンクＤＣＩフォーマットを利用するダウンリンク制御チャネル及び/またはＰＨＩＣＨを伝送することを決定する決定モジュールと、
サブフレームｎにおいて、アップリンクＤＣＩフォーマットを利用するダウンリンク制御チャネル及び/またはＰＨＩＣＨを送信し、端末がスペシャルサブフレームｎ+ｋにおいてＰＵＳＣＨを伝送するように、調整またはスケジューリングする送信モジュールとを備え、前記ｋは予め設定した値である。
【００４８】
好ましくは、ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【００４９】
好ましくは、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルである。
【００５０】
好ましくは、前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応する。
【００５１】
好ましくは、ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【００５２】
好ましくは、ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義する。
【００５３】
好ましくは、ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義する。
【００５４】
好ましくは、ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義する。
【００５５】
好ましくは、ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義する。 
好ましくは、ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義する。
【００５６】
好ましくは、前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータである。
【００５７】
好ましくは、前記スペシャルサブフレームに対応するダウンリンク制御チャネルは、ＲＮＴＩまたはＤＣＩサイズまたはＤＣＩ内の指示フィールドにより決定されたスペシャルサブフレームに対応するダウンリンク制御チャネルである。
【００５８】
本発明の実施例に係る端末は、プロセッサと、メモリと、送受信機とを備え、
前記プロセッサは、前記メモリに格納されたプログラムを読み出し、サブフレームｎにおいて検出されたアップリンクＤＣＩフォーマットを利用するダウンリンク制御チャネル及び/またはＰＨＩＣＨに基づき、スペシャルサブフレームｎ+ｋにおいて伝送されるＰＵＳＣＨを調整またはスケジューリングし、前記ｋは予め設定した値であり、 
前記送受信機は、前記プロセッサの制御にによりデータを送受信する。
【００５９】
本発明の実施例に係る基地局は、プロセッサと、メモリと、送受信機とを備え、
前記プロセッサは、メモリに格納されたプログラムを読み出して、
前記送受信機のニーズに応じてデータ処理を行い、
前記送受信機は、前記プロセッサの制御によりデータを送受信し、サブフレームｎにおいて、アップリンクＤＣＩフォーマットを利用するダウンリンク制御チャネル及び/またはＰＨＩＣＨを送信し、端末がスペシャルサブフレームｎ+ｋにおいてＰＵＳＣＨを伝送するように、調整またはスケジューリングし、前記ｋは予め設定した値である。
【発明の効果】
【００６０】
本発明は以下の効果を奏する。
【００６１】
本発明に係る技術案によれば、基地局は、サブフレームｎにおいて、アップリンクＤＣＩフォーマットを利用するダウンリンク制御チャネル及び/またはＰＨＩＣＨを送信し、端末がスペシャルサブフレームｎ+ｋにおいてＰＵＳＣＨを伝送するように、調整またはスケジューリングし、端末は、サブフレームｎにおいて検出されたアップリンクＤＣＩフォーマットを利用するダウンリンク制御チャネル及び/またはＰＨＩＣＨに基づき、スペシャルサブフレームｎ+ｋにおいて伝送されるＰＵＳＣＨを調整またはスケジューリングし、前記ｋは予め設定した値である。本発明は、スペシャルサブフレームにおいてＰＵＳＣＨを伝送するスケジューリングタイミングの定義を提供したため、スペシャルサブフレームにおいて正常的にＰＵＳＣＨを伝送することを確保できる。
【図面の簡単な説明】
【００６２】
本明細書に記載される図面は、本出願のさらなる理解を提供するために提供され、本出願の一部であることが意図される。
【００６３】
【図１】は背景技術におけるＬＴＥ ＴＤＤフレームの構成図である。
【図２】は本発明の実施例に係る端末側のＰＵＳＣＨの伝送方法のフローチャートである。
【図３】は本発明の実施例に係る端末におけるＰＵＳＣＨの伝送装置構成図である。
【図４】は本発明の実施例に係る基地局上のＰＵＳＣＨの伝送装置構成図である。
【図５】は本発明の実施例に係る端末構成図である。
【図６】は本発明の実施例に係る基地局構成図である。
【発明を実施するための形態】
【００６４】
移動通信サービスの要求の発展に伴い、ＴＤＤスペシャルサブフレームでアップリンク伝送を実現するために、新しいＴＤＤスペシャルサブフレーム構成が提案される。例えば、６個のシンボルＤｗＰＴＳ、２個のシンボルＧＰ及び６個のシンボルＵｐＰＴＳ。新しいＴＤＤスペシャルサブフレーム構成において、ＵｐＰＴＳの長さを増えすことにより、端末がＵｐＰＴＳにおいてアップリンク共有チャネルなどのチャネルを伝送できるようになる。
【００６５】
しかし、従来のＬＴＥのシステムは、ＵｐＰＴＳにおいてＰＵＳＣＨを伝送することをサポートしないため、ＵｐＰＴＳにおいて伝送されるＰＵＳＣＨのスケジューリングタイミングが定義されていなく、即ち、ち、ＵｐＰＴＳにおいてアップリンク共有チャネルを送信するように端末をスケジューリングする方法を明確にする解決策はない。これに基づいて、本発明の実施例は、ＰＵＳＣＨ上の情報伝送案を提供し、ＰＵＳＣＨがＵｐＰＴＳにおいて正常に送信されることを保証する。本出願の特定の実施形態を、添付の図面を参照して以下に説明する。
【００６６】
ここでは、端末側及び基地局側からの実施について説明するが、端末側の実施は基地局側に対応するので、端末を中心に説明する。当業者が端末側の実施より基地局側の実施を知ることは容易である。また、本願の実施形態で提供される解決策の実施をよりよく理解するために、二者の間の協力の例が与えられる。実際には、端末と基地局が別々に実施されている場合には、それぞれ端末側と基地局側の問題も解決されるが、両者を組み合わせることで、より良い技術成果を得る
図２は端末側のＰＵＳＣＨの伝送方法のフローチャートであり、図に示すように、以下のステップを備える。
【００６７】
ステップ２０１において、端末は、サブフレームｎにおいてダウンリンク制御チャネル及び/またはＰＨＩＣＨを検出する。
【００６８】
ステップ２０２、端末は、サブフレームｎにおいて検出されたアップリンクＤＣＩフォーマットを利用するダウンリンク制御チャネル及び/またはＰＨＩＣＨに基づき、スペシャルサブフレームｎ+ｋにおいて伝送されるＰＵＳＣＨを調整またはスケジューリングし、前記ｋは予め設定した値である。
【００６９】
以下に、実施の詳細な説明を示す。実施におけるＴＤＤ  ＵＬ/ＤＬ構成は、以下の2つのシナリオであってもよい。ＴＤＤ  ＵＬ/ＤＬ構成は、システム情報によって構成されたアップリンクリファレンスＴＤＤ  ＵＬ/ＤＬ構成またはシステム情報により設定されたＴＤＤ  ＵＬ/ＤＬ構成である。次に、詳細は次のとおりである。
【００７０】
実施の際、ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【００７１】
具体的に、ＴＤＤ  ＵＬ/ＤＬ構成０（ダウンリンク伝送サブフレームまたはスロットがアップリンクにより少ないため、複数のフレームをスケジューリングする。即ち、ち、１個のダウンリンクサブフレームまたはスロットにおいて送信されたダウンリンク制御チャネル及び/またはＰＨＩＣＨにおいて、異なる時間領フィルード位置上のＰＵＳＣＨ伝送をスケジューリングする。例えば、２個の異なるアップリンクサブフレームにおけるＰＵＳＣＨ伝送をスケジューリングするか、または、１個のアップリンクサブフレーム及び１個のスペシャルサブフレームにおけるＰＵＳＣＨ伝送をスケジューリングする）の場合、サブフレームｎ=０またはｎ=５において、IPHICH =２に対応するＰＨＩＣＨまたはＵｐＰＴＳに対応するダウンリンク制御チャネル（例えば、無線ネットワーク一時識別子（Ｒａｄｉｏ  Ｎｅｔｗｏｒｋ  Ｔｅｍｐｏｒｙ  Ｉｄｅｎｔｉｔｙ、ＲＮＴＩによる）や、ＤＣＩサイズや、ＤＣＩ内の対応の指示フィールドにより、受信した１つのダウンリンク制御チャネルがノーマルアップリンクサブフレームに対応するかまたはＵｐＰＴＳに対応するかを確定することができ、以下同様）に対し、ｋ=６またはｋ=１１と定義し、または、サブフレームｎ=１またはｎ=６において、IPHICH =１に対応するＰＨＩＣＨまたはＵｐＰＴＳに対応するダウンリンク制御チャネルに対して、ｋ=５またはｋ=１０と定義する。
【表５】
2019519171.tif 000007
ここで、ｓｕｂｆｒａｍｅ ｉｎｄｅｘは０及び５として定義され、または１及び６として定義され、実施では、定義のうちの１つのみが適用され得る。すなわち、上の定義の１つｋの定義でサブフレームｎにおいてダウンリンク制御チャネル及び/またはＰＨＩＣＨを伝送することが可能となり、スペシャルサブフレームｎ+ｋにおけるＰＵＳＣＨ伝送をスケジューリングまたは調整する。
【００７２】
実施の際、ＴＤＤ  ＵＬ/ＤＬ構成１の場合、サブフレームｎ=０またはｎ=５において、ｋ=６またはｋ=１１と定義する。
【００７３】
または、ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義する。または、サブフレームｎ=１またはｎ=６において、スペシャルサブフレームに対応するＰＨＩＣＨ及び/またはダウンリンク制御チャネルに対し、ｋ=５またはｋ=１０と定義する。
【００７４】
具体的に、ＴＤＤ  ＵＬ/ＤＬ構成１の場合、以下の方式を有する。
【００７５】
方式１（マルチフレームスケジューリングを利用しない）：定義された、スペシャルサブフレームにおけるＰＵＳＣＨ伝送をスケジューリングするためのサブフレームは、ノーマルアップリンクサブフレームにおけるＰＵＳＣＨ伝送をスケジューリングするためのサブフレームと異なり、サブフレームｎ=０またはｎ=５において、ｋ=６またはｋ=１１と定義する。
【００７６】
方式２（マルチフレームスケジューリングを利用する）：定義された、スペシャルサブフレームにおけるＰＵＳＣＨ伝送をスケジューリングするためのサブフレームは、ノーマルアップリンクサブフレームにおけるＰＵＳＣＨ伝送をスケジューリングするためのサブフレームと同様であり、サブフレームｎ=４またはｎ=９において、IPHICH =１に対応するＰＨＩＣＨまたはＵｐＰＴＳに対応するダウンリンク制御チャネルに対し、ｋ=２またはｋ=７またはｋ=１２と定義する。または、サブフレームｎ=１またはｎ=６において、IPHICH =１に対応するＰＨＩＣＨまたはＵｐＰＴＳに対応するダウンリンク制御チャネルに対し、ｋ=５またはｋ=１０と定義する。
【００７７】
【表６】
2019519171.tif 000008
【００７８】
ここで、ｓｕｂｆｒａｍｅ ｉｎｄｅｘは０及び５として定義され、または１及び６として定義され、または４及び９として定義され、実施では、定義のうちの１つのみが適用され得る。すなわち、上の定義の１つのｋの定義でサブフレームｎにおいてダウンリンク制御チャネル及び/またはＰＨＩＣＨを伝送することが可能となり、スペシャルサブフレームｎ+ｋにおけるＰＵＳＣＨ伝送をスケジューリングまたは調整する。
【００７９】
実施の際、ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義する。
【００８０】
または、ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義する。
【００８１】
具体的に、ＴＤＤ  ＵＬ/ＤＬ構成２の場合、下記の方式を有する。
【００８２】
方式１（マルチフレームスケジューリングを利用しない）：サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義する。
【００８３】
方式２（マルチフレームスケジューリングを利用する）：サブフレームｎ=３またはｎ=８において、IPHICH =１に対応するＰＨＩＣＨまたはＵｐＰＴＳに対応するダウンリンク制御チャネルに対し、ｋ=３またはｋ=８またはｋ=１３と定義する。
【００８４】
【表７】
2019519171.tif 000009
【００８５】
ここで、ｓｕｂｆｒａｍｅ ｉｎｄｅｘは０及び５として定義され、または１及び６として定義され、または３及び８として定義され、または４及び９として定義され、実施では、定義のうちの１つのみが適用され得る。すなわち、上の定義の１つｋの定義でサブフレームｎにおいてダウンリンク制御チャネル及び/またはＰＨＩＣＨを伝送することが可能となり、スペシャルサブフレームｎ+ｋにおけるＰＵＳＣＨ伝送をスケジューリングまたは調整する。
【００８６】
実施の際、ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義する。
【００８７】
または、ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義する。または、サブフレームｎ=０において、スペシャルサブフレームに対応するＰＨＩＣＨ及び/またはダウンリンク制御チャネルに対し、ｋ=１１と定義する。
【００８８】
具体的に、ＴＤＤ  ＵＬ/ＤＬ構成３の場合、以下の方式を有する。
【００８９】
方式１（マルチフレームスケジューリングを利用しない）：サブフレームｎ=７において、ｋ=４と定義し、または、サブフレーム５において、ｋ=６と定義し、または、サブフレーム６において、ｋ=５と定義し、 または、サブフレームｎ=１において、ｋ=１０と定義する。
【００９０】
方式２（マルチフレームスケジューリングを利用する）：サブフレームｎ= ８において、IPHICH =１に対応するＰＨＩＣＨまたはＵｐＰＴＳに対応するダウンリンク制御チャネルに対し、ｋ=３またはｋ=１３と定義する。または、サブフレームｎ=９において、IPHICH =１に対応するＰＨＩＣＨまたはＵｐＰＴＳに対応するダウンリンク制御チャネルに対し、ｋ=２またはｋ=１２と定義する。または、サブフレームｎ= ０において、IPHICH =１に対応するＰＨＩＣＨまたはＵｐＰＴＳに対応するダウンリンク制御チャネルに対し、ｋ=１１と定義する。
【００９１】
【表８】
2019519171.tif 000010
【００９２】
ここで、ｓｕｂｆｒａｍｅ ｉｎｄｅｘは０として定義され、または５として定義され、または１として定義され、または６として定義され、または７として定義され、または８として定義され、または９として定義され、実施では、定義のうちの１つのみが適用され得る。すなわち、上の定義の１つｋの定義でサブフレームｎにおいてダウンリンク制御チャネル及び/またはＰＨＩＣＨを伝送することが可能となり、スペシャルサブフレームｎ+ｋにおけるＰＵＳＣＨ伝送をスケジューリングまたは調整する。
【００９３】
実施の際、ＴＤＤ  ＵＬ/ＤＬ構成４の場合、サブフレームｎ=４において、ｋ=７と定義し、または、サブフレームｎ=５において、ｋ=６と定義する。または、サブフレーム６において、ｋ=５と定義する。または、サブフレームｎ=７において、ｋ=４と定義し、または、サブフレームｎ=０において、ｋ=１１と定義する。または、サブフレームｎ=１において、ｋ=１０と定義する。
【００９４】
または、ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義する。
【００９５】
具体的に、ＴＤＤ  ＵＬ/ＤＬ構成４の場合、以下の方式を有する。
【００９６】
方式１（マルチフレームスケジューリングを利用しない）：サブフレームｎ=４において、ｋ=７と定義する。または、サブフレーム５において、ｋ=６と定義し、または、サブフレーム６において、ｋ=５と定義し、または、サブフレームｎ=７において、ｋ=４と定義する。または、サブフレームｎ=０において、ｋ=１１と定義し、 または、サブフレームｎ=１において、ｋ=１０と定義する。 
方式２（マルチフレームスケジューリングを利用する）：サブフレームｎ= ８において、IPHICH =１に対応するＰＨＩＣＨまたはＵｐＰＴＳに対応するダウンリンク制御チャネルに対し、ｋ=３またはｋ=１３と定義する。または、サブフレームｎ=９において、IPHICH =１に対応するＰＨＩＣＨまたはＵｐＰＴＳに対応するダウンリンク制御チャネルに対し、ｋ=２またはｋ=１２と定義する。
【００９７】
【表９】
2019519171.tif 000011
【００９８】
ここで、subframe iｎdexは０として定義され、または５として定義され、または１として定義され、または６として定義され、または４として定義され、または７として定義され、または８として定義され、または９として定義され、実施では、定義のうちの１つのみが適用され得る。すなわち、上の定義の１つｋの定義でサブフレームｎにおいてダウンリンク制御チャネル及び/またはＰＨＩＣＨを伝送することが可能となり、スペシャルサブフレームｎ+ｋにおけるＰＵＳＣＨ伝送をスケジューリングまたは調整する。
【００９９】
実施の際、ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義する。
【０１００】
または、ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義する。 
具体的に、ＴＤＤ  ＵＬ/ＤＬ構成５の場合、以下の方式を有する。
【０１０１】
方式１（マルチフレームスケジューリングを利用しない）：サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、 または、サブフレームｎ=１において、ｋ=１０と定義し、または、サブフレームｎ=９において、ｋ=２またはｋ=１２と定義する。
【０１０２】
方式２（マルチフレームスケジューリングを利用する）：サブフレームｎ= ８において、IPHICH =１に対応するＰＨＩＣＨまたはＵｐＰＴＳに対応するダウンリンク制御チャネルに対し、ｋ=３またはｋ=１３と定義する。
【０１０３】
【表１０】
2019519171.tif 000012
【０１０４】
ここで、subframe iｎdexは０として定義され、または５として定義され、または１として定義され、または６として定義され、または３として定義され、または４として定義され、または７として定義され、または８として定義され、または９として定義され、実施では、定義のうちの１つのみが適用され得る。すなわち、上の定義の１つｋの定義でサブフレームｎにおいてダウンリンク制御チャネル及び/またはＰＨＩＣＨを伝送することが可能となり、スペシャルサブフレームｎ+ｋにおけるＰＵＳＣＨ伝送をスケジューリングまたは調整する。
【０１０５】
実施の際、ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義する。
【０１０６】
具体的に、ＴＤＤ  ＵＬ/ＤＬ構成６（マルチフレームスケジューリングのみ行え、原因は構成０と同様）の場合、サブフレームｎ=０またはｎ=５において、IPHICH =１に対応するＰＨＩＣＨまたはＵｐＰＴＳに対応するダウンリンク制御チャネルに対し、ｋ=６またはｋ=１１と定義する。または、サブフレームｎ=１またはｎ=６において、IPHICH =１に対応するＰＨＩＣＨまたはＵｐＰＴＳに対応するダウンリンク制御チャネルに対し、ｋ=５またはｋ=１０と定義する。または、サブフレーム９において、IPHICH =１に対応するＰＨＩＣＨまたはＵｐＰＴＳに対応するダウンリンク制御チャネルに対し、ｋ=２またはｋ=７またはｋ=１２と定義する。
【０１０７】
【表１１】
2019519171.tif 000013
【０１０８】
ここで、ｓｕｂｆｒａｍｅ ｉｎｄｅｘは０及び５として定義され、または１及び６として定義され、または９として定義され、または０及び９として定義され、または１及び９として定義され、または５及び９として定義され、または６及び９として定義され、実施では、定義のうちの１つのみが適用され得る。すなわち、上の定義の１つｋの定義でサブフレームｎにおいてダウンリンク制御チャネル及び/またはＰＨＩＣＨを伝送することが可能となり、スペシャルサブフレームｎ+ｋにおけるＰＵＳＣＨ伝送をスケジューリングまたは調整する。
【０１０９】
実施の際、スペシャルサブフレームに対応するＰＨＩＣＨは、IPHICH =２に対応するＰＨＩＣＨまたはIPHICH =１に対応するＰＨＩＣＨである。ここで、IPHICHは、ＰＨＩＣＨリソースを決定するためのパラメータである。
【０１１０】
実施の際、スペシャルサブフレームに対応するダウンリンク制御チャネルは、ＲＮＴＩまたはＤＣＩサイズまたはＤＣＩ内の指示フィールドにより決定されたスペシャルサブフレームに対応するダウンリンク制御チャネルである。
【０１１１】
具体的に、前記サブフレームｎに、スペシャルサブフレームにおいて伝送されるＰＵＳＣＨをスケジューリングするアップリンクＤＣＩフォーマットを利用するダウンリンク制御チャネル、及びノーマルアップリンクサブフレームにおいて伝送されるＰＵＳＣＨをスケジューリングするアップリンクＤＣＩフォーマットを利用するダウンリンク制御チャネルがともに存在する場合、以下の方式を有する。
【０１１２】
方式A：前記アップリンクＤＣＩフォーマットのサイズによって、スケジューリング情報がＵｐＰＴＳまたはノーマルアップリンクサブフレームに対応するかを判断する。即ち、ち、ＵｐＰＴＳに対応するアップリンクＤＣＩフォーマットのサイズは、ノーマルアップリンクサブフレームに対応するアップリンクＤＣＩフォーマットのサイズと異なる。例えば、可能の実施の１つとしては、ＵｐＰＴＳにおけるＰＵＳＣＨの伝送をサポートする端末の場合、ＵｐＰＴＳに対応するアップリンクＤＣＩフォーマットは、新しく定義したアップリンクＤＣＩフォーマットであるか、または従来のＤＣＩフォーマットに基づいて余分なビットフィールドを追加して得られたアップリンクＤＣＩフォーマットである。ノーマルアップリンクサブフレームに対応するアップリンクＤＣＩフォーマットは、従来のアップリンクＤＣＩフォーマットである。ここで、従来のアップリンクＤＣＩフォーマットは、３ＧＰＰ ３６.２１２ Ｒｅｌ-１３及びその前のＲｅｌ-に定義されたＤＣＩフォーマット０/４である。
【０１１３】
または、方式Ｂ：前記アップリンクＤＣＩフォーマット内の特定な指示フィールドによって、スケジューリング情報が、ＵｐＰＴＳまたはノーマルアップリンクサブフレームに対応するかを判断する。即ち、ち、特定な指示フィールドが「１」の場合、ＵｐＰＴＳのダウンリンク制御チャネルに対応することを示し、特定な指示フィールドが「０」の場合、ノーマルアップリンクサブフレームのダウンリンク制御チャネルに対応することを示す。逆の場合も同様である。または、特定な指示フィールドによりプロセス番号を指示する。プロセス番号は、ＵｐＰＴＳ内のＰＵＳＣＨ及びノーマルサブフレーム内のＰＵＳＣＨの共有番号であることができ、ＵｐＰＴＳ内のＰＵＳＣＨに対し別途に番号付けることもできるし、及び、ノーマルサブフレーム内のＰＵＳＣＨに対し別途に番号付けることもできる。
【０１１４】
例えば、可能の実施の１つとしては、：ＵｐＰＴＳにおけるＰＵＳＣＨの伝送をサポートする端末の場合、従来のアップリンクＤＣＩフォーマット内のパディング（ｐａｄｄｉｎｇ）ビットを上記特定な指示フィールドとして再利用する。即ち、ち、この際、ＵｐＰＴＳにおけるＰＵＳＣＨ伝送をサポートする端末の場合、対応するＵｐＰＴＳ及びノーマルアップリンクサブフレームのアップリンクＤＣＩフォーマットは同様であり、サイズが一致しており、おのうちの１またはマルチビットｐａｄｄｉｎｇビットを分析して、特定な指示フィールドとすることにより、当該アップリンクＤＣＩに対応するのは、ＵｐＰＴＳまたはノーマルアップリンクサブフレームであるかを知ることができる。
【０１１５】
他の可能な実施としては、ＵｐＰＴＳにおけるＰＵＳＣＨ伝送をサポートする端末の場合、アップリンクＤＣＩフォーマットＡが定義され、当該アップリンクＤＣＩフォーマットＡは、従来のアップリンクＤＣＩフォーマットに基づいて余分な指示フィールドを追加することができる。例えば、ＤＣＩフォーマット０/４に基づいて余分な指示フィールドを追加し、当該指示フィールドは、ＵｐＰＴＳにおけるＰＵＳＣＨ伝送をサポートする端末のみに対して有効である。または、新しく定義したアップリンクＤＣＩフォーマットである。ＵｐＰＴＳにおけるＰＵＳＣＨ伝送をサポートする端末の場合、ＵｐＰＴＳ及びノーマルアップリンクサブフレームにおいて伝送されるＰＵＳＣＨに対し、当該アップリンクＤＣＩフォーマットＡを用いてスケジューリングする。さらに、ＵｐＰＴＳにおけるＰＵＳＣＨ伝送をサポートする端末が定義され、その全部または一部のダウンリンクＤＣＩフォーマットは、当該アップリンクＤＣＩフォーマットＡのサイズでｐａｄｄｉｎｇすることができ，または当該アップリンクＤＣＩフォーマットＡは、全部または一部のダウンリンクＤＣＩフォーマットのサイズでｐａｄｄｉｎｇし、こうして、アップリンクＤＣＩフォーマットＡが全部または一部のダウンリンクＤＣＩフォーマットのサイズと同様であることを確保でき、また、DCIによる端末のブラインド検出の数を増やさない。例えば、ＵｐＰＴＳにおけるＰＵＳＣＨ伝送をサポートする端末は、従来のＤＣＩフォーマット０に基づき、アップリンクＤＣＩフォーマットを定義し、従来のＤＣＩフォーマット０に基づき少なくとも１ビット指示フィールドを追加して、ＤＣＩフォーマットが、ノーマルアップリンクサブフレームにおいてＰＵＳＣＨ送信をスケジュールするために使用されるか、またはＵｐＰＴＳにおいてＰＵＳＣＨ送信をスケジュールするために使用されるかを示す。勿論、たの指示フィールドをさらに追加できることは除外されない、。例えば、ＨＡＲＱプロセス番号指示フィールドなどを追加し、指示フィールドが追加された後のアップリンクＤＣＩフォーマット０を、ＵｐＰＴＳにおけるＰＵＳＣＨ伝送をサポートする端末に対応するアップリンクＤＣＩフォーマット０とし、元のＤＣＩ設計は、アップリンクＤＣＩフォーマット０とダウンリンクＤＣＩフォーマット１Ａのサイズが同じサイズであることを確保できるため、ブラインド検出回数を減らすることができる。元のブラインド検出回数を維持するため、ＵｐＰＴＳにおけるＰＵＳＣＨ伝送をサポートする端末に対応するアップリンクＤＣＩフォーマット０のサイズがダウンリンクＤＣＩフォーマット１Ａより小さい場合、ＵｐＰＴＳにおけるＰＵＳＣＨ伝送をサポートする端末に対応するＤＣＩフォーマット０をｐａｄｄｉｎｇそて、そのＤＣＩサイズが対応するダウンリンクＤＣＩフォーマット１Ａと同じであることを確実にする。ＵｐＰＴＳにおけるＰＵＳＣＨ伝送をサポートする端末に対応するダウンリンクＤＣＩフォーマット１Ａのサイズが対応のアップリンクＤＣＩフォーマット０より小さい場合、ＵｐＰＴＳにおけるＰＵＳＣＨ伝送をサポートする端末に対応するＤＣＩフォーマット１Ａをｐａｄｄｉｎｇして、そのＤＣＩサイズが対応のア��プリンクＤＣＩフォーマット０と同じであることを確実にする。ここで、ＵｐＰＴＳにおけるＰＵＳＣＨ伝送をサポートする端末に対応するダウンリンクＤＣＩフォーマット、例えば、ＤＣＩフォーマット１Ａをｐａｄｄｉｎｇする。勿論、他のダウンリンクＤＣＩフォーマット、例えば、ＤＣＩ １Ｂ/１Ｃ/１Ｄ/２/２Ａ/２Ｂを排除しない。従来のダウンリンクＤＣＩフォーマットを再利用でき、ブラインド検出回数を維持するため、ＵｐＰＴＳにおけるＰＵＳＣＨ伝送をサポートする端末に対応するダウンリンクＤＣＩフォーマット３及び３Ａは、そのＤＣＩサイズは、上記ＵｐＰＴＳにおけるＰＵＳＣＨ伝送をサポートする端末に対応するアップリンクＤＣＩフォーマット０及びダウンリンクＤＣＩフォーマット１Ａのサイズと同じである。
【０１１６】
または、方式Ｃ：前記ダウンリンク制御チャネルに用いられるＲＮＴＩによって、スケジューリング情報がＵｐＰＴＳまたはノーマルアップリンクサブフレームに対応するかを判断する。即ち、ＵｐＰＴＳに対応するダウンリンク制御チャネルに対応するＲＮＴＩは、ノーマルアップリンクサブフレームに対応するダウンリンク制御チャネルに対応するＲＮＴＩと異なる。当該ＲＮＴＩは、ダウンリンク制御チャネルをスクランブリングする。例えば、可能の実施の１つとしては、ＵｐＰＴＳにおけるＰＵＳＣＨ伝送をサポートする端末は、ＵｐＰＴＳにおいて伝送されるＰＵＳＣＨがノーマルアップリンクサブフレームにおいて伝送されるＰＵＳＣＨに用いられるアップリンクＤＣＩフォーマットと同様になるように、スケジューリングする。例えば、従来のアップリンクＤＣＩフォーマットを再利用するか、またはアップリンクＤＣＩフォーマットを新しく定義する。勿論、異なるＤＣＩフォーマットを利用することを排除しない。
【０１１７】
実施の際、スペシャルサブフレームに対応するダウンリンク制御チャネルは、前記ダウンリンク制御チャネルにおける２ビットのアップリンクインデックスＵＬ ｉｎｄｅｘ指示フィールドによって決定されたスペシャルサブフレームに対応するダウンリンク制御チャネルである。
【０１１８】
具体的に、前記端末は、前記ダウンリンク制御チャネルにおける２ビットのアップリンクインデックス（ＵＬ ｉｎｄｅｘ）指示フィールドによって、前記ダウンリンク制御チャネルがスペシャルサブフレームにおいて伝送されるＰＵＳＣＨに対応するかを決定する。前記ＵＬ ｉｎｄｅｘのＬＳＢ（Ｌｅａｓｔ Ｓｉｇｎｉｆｉｃａｎｔ Ｂｉｔ，最低有効ビット）及びＭＳＢ（Ｍｏｓｔ Ｓｉｇｎｉｆｉｃａｎｔ Ｂｉｔ，最高有効ビット）のいずれも０とする場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応する。
【０１１９】
実施の１つとしては、ＴＤＤ  ＵＬ/ＤＬ構成０の場合、従来のアップリンクＤＣＩフォーマット内の２ビットアップリンクインデックス（ＵＬ ｉｎｄｅｘ）フィルードで、当該アップリンクＤＣＩフォーマットを用いるダウンリンク制御チャネルがノーマルアップリンクサブフレーム内のＰＵＳＣＨまたはスペシャルサブフレーム内のＰＵＳＣＨに対応するかを決定する。２ビットＵＬ ｉｎｄｅｘのいずれも０である場合、即ち、ＬＳＢとＭＳＢがともに０とする場合、当該ダウンリンク制御チャネルがスペシャルサブフレームにおいて伝送されるＰＵＳＣＨに対応することを示す。ＬＳＢまたはＭＢＳ内の少なくとも１つのビットが１である場合、当該ダウンリンク制御チャネルが、ノーマルアップリンクサブフレームにおいて伝送されるＰＵＳＣＨに対応することを示す。即ち、実施の際、スペシャルサブフレームに対応するダウンリンク制御チャネルは、前記ダウンリンク制御チャネルにおける２ビットのアップリンクインデックスＵＬ ｉｎｄｅｘ指示フィールドによって決定されたスペシャルサブフレームに対応するダウンリンク制御チャネルであることができる。
【０１２０】
実施の際、前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応する。
【０１２１】
例えば、上記スケジューリングタイミング定義によれば、ＴＤＤ  ＵＬ/ＤＬ構成０の場合、端末がサブフレームｎにおいて検出されたアップリンクＤＣＩフォーマットを利用するダウンリンク制御チャネルは、スペシャルサブフレームｎ+ｋにおいて伝送されるＰＵＳＣＨスペシャルサブフレーム内のＰＵＳＣＨ伝送を調整またはスケジューリングし、ｎ=０またはｎ=５である場合、ｋ=６，即ち、端末がサブフレーム０において検出されたアップリンクＤＣＩフォーマットを利用するダウンリンク制御チャネルは、スペシャルサブフレーム６において伝送されるＰＵＳＣＨを調整またはスケジューリングする。従来技術に定義された表４に示すノーマルアップリンクサブフレーム内のＰＵＳＣＨのスケジューリングタイミング及び従来技術に定義されたｎ+６であるスケジューリングタイミング（ＭＳＢ=１であれば、サブフレーム０のスケジューリングサブフレームｎ+ｋ、ＬＳＢ=１であればサブフレーム０のスケジューリングサブフレームｎ+７）によれば、端末がサブフレーム０において検出されたアップリンクＤＣＩフォーマットを利用するダウンリンク制御チャネルに対し、アップリンクサブフレーム４（ｎ+ｋに対応し、また、ｋは表４に４と示されたスケジューリングタイミング）及び/またはアップリンクサブフレーム７（ｎ+７であるスケジューリングタイミングに対応する）において伝送されるＰＵＳＣＨを調整またはスケジューリングする。即ち、端末がサブフレーム０において検出されたアップリンクＤＣＩフォーマットを利用するダウンリンク制御チャネルは、スペシャルサブフレーム６において伝送されるＰＵＳＣＨを調整またはスケジューリングすることができるし、また、アップリンクサブフレーム４またはアップリンクサブフレーム７において伝送されるＰＵＳＣＨを調整またはスケジューリングすることもできる。端末がサブフレーム０においてダウンリンク制御チャネルを検出する１つの実施方法として、端末は、従来技術に定義されたアップリンクＤＣＩフォーマット検出ダウンリンク制御チャネルにより、かつ、当該ダウンリンク制御チャネル内の２ビットＵＬ ｉｎｄｅｘフィルードの設定状況に基づき、当該ダウンリンク制御チャネルに対応する調整またはスケジューリング対象がスペシャルサブフレーム６において伝送されるＰＵＳＣＨまたはアップリンクサブフレーム４及び/または７において伝送されるＰＵＳＣＨであるかを判断することができる。具体的に、ＵＬ ｉｎｄｅｘのＬＳＢとＭＳＢのいずれも０であれば、当該ダウンリンク制御チャネルがスペシャルサブフレーム６において伝送されるＰＵＳＣＨを調整またはスケジューリングするためのものであると判断する。ＵＬ ｉｎｄｅｘのＬＳＢとＭＳＢ内のいずれも１であれば、当該ダウンリンク制御チャネルがノーマルアップリンクサブフレームにおいて伝送されるＰＵＳＣＨを調整またはスケジューリングするためのものであると判断する。具体的に、ＵＬ ｉｎｄｅｘのＬＳＢが１であれば、当該ダウンリンク制御チャネルアップリンクサブフレーム７において伝送されるＰＵＳＣＨを調整またはスケジューリングするためのものであると判断する。ＵＬ ｉｎｄｅｘのＭＳＢが１であれば、当該ダウンリンク制御チャネルがアップリンクサブフレーム４において伝送されるＰＵＳＣＨを調整またはスケジューリングするためのものであると判断する。ＵＬ ｉｎｄｅｘのＬＳＢとＭＳＢのいずれが１であれば、当該ダウンリンク制御チャネルがアップリンクサブフレーム４及び７において伝送されるＰＵＳＣＨを調整またはスケジューリングするためのものであると判断する。ｎ=５，ｋ=６であれば、即ち、端末がサブフレーム５において検出されたアップリンクＤＣＩフォーマットを利用するダウンリンク制御チャネルに対し、（次の無線フレーム内の）スペシャルサブフレーム１において伝送されるＰＵＳＣＨを調整またはスケジューリングする場合、上記と同様である。
【０１２２】
また、例えば、上記スケジューリングタイミング定義によれば、ＴＤＤ  ＵＬ/ＤＬ構成０の場合、端末がサブフレームｎにおいて検出されたアップリンクＤＣＩフォーマットを利用するダウンリンク制御チャネルは、スペシャルサブフレームｎ+ｋにおいて伝送されるＰＵＳＣＨスペシャルサブフレーム内のＰＵＳＣＨ伝送を調整またはスケジューリングする。ｎ=１または６でれば、ｋ=５，即ち、端末がサブフレーム１において検出されたアップリンクＤＣＩフォーマットを利用するダウンリンク制御チャネルは、スペシャルサブフレーム６において伝送されるＰＵＳＣＨを調整またはスケジューリングする。しかし、従来技術に定義された表４に示すノーマルアップリンクサブフレーム内のＰＵＳＣＨのスケジューリングタイミング及び従来技術に定義されたｎ+６であるスケジューリングタイミング（ＭＳＢ=１である場合、サブフレーム１のスケジューリングサブフレームｎ+ｋ、ＬＳＢ=１であるばあい、サブフレーム１のスケジューリングサブフレームｎ+７）によれば、端末がサブフレーム１において検出されたアップリンクＤＣＩフォーマットを利用するダウンリンク制御チャネルは、アップリンクサブフレーム７（ｎ+ｋに対応し、かつｋが表４に示す６であるスケジューリングタイミング）及び/またはアップリンクサブフレーム８（ｎ+７であるスケジューリングタイミングに対応する）において伝送されるＰＵＳＣＨを調整またはスケジューリングする。即ち、端末がサブフレーム１において検出されたアップリンクＤＣＩフォーマットを利用するダウンリンク制御チャネルは、スペシャルサブフレーム６において伝送されるＰＵＳＣＨを調整またはスケジューリングすることができ、また、アップリンクサブフレーム７またはアップリンクサブフレーム８において伝送されるＰＵＳＣＨを調整またはスケジューリングすることもできる。端末がサブフレーム１において、ダウンリンク制御チャネルを検出する１つの実施方法としては、端末は、従来技術に定義されたアップリンクＤＣＩフォーマットでダウンリンク制御チャネルを検出し、かつ、当該ダウンリンク制御チャネル内の２ビットＵＬ ｉｎｄｅｘフィルードの設定状況により、当該ダウンリンク制御チャネルに対応する調整またはスケジューリング対象がスペシャルサブフレーム６において伝送されるＰＵＳＣＨまたはアップリンクサブフレーム７及び/または８において伝送されるＰＵＳＣＨであるかを判断することができる。具体的に、ＵＬ ｉｎｄｅｘのＬＳＢとＭＳＢのいずれが０であれば、当該ダウンリンク制御チャネルが、スペシャルサブフレーム６において伝送されるＰＵＳＣＨを調整またはスケジューリングするためのものであると判断する。ＵＬ ｉｎｄｅｘのＬＳＢとＭＳＢうちのいずれも１であれば、当該ダウンリンク制御チャネルがノーマルアップリンクサブフレームにおいて伝送されるＰＵＳＣＨを調整またはスケジューリングするためのものであると判断する。具体的に、ＵＬ ｉｎｄｅｘのＬＳＢが１であれば、当該ダウンリンク制御チャネルがアップリンクサブフレーム８において伝送されるＰＵＳＣＨを調整またはスケジューリングするためのものであると判断する。ＵＬ ｉｎｄｅｘのＭＳＢが１であれば、当該ダウンリンク���御チャネルが調アップリンクサブフレーム７において伝送されるＰＵＳＣＨを整またはスケジューリングするためのものであると判断する。ＵＬ ｉｎｄｅｘのＬＳＢとＭＳＢが１であれば、当該ダウンリンク制御チャネルがアップリンクサブフレーム７及び８において伝送されるＰＵＳＣＨを調整またはスケジューリングする。ｎ=６，ｋ=５であれば、即ち、端末がサブフレーム６において検出されたアップリンクＤＣＩフォーマットを利用するダウンリンク制御チャネルが、（次の無線フレーム内の）スペシャルサブフレーム１において伝送されるＰＵＳＣＨを調整またはスケジューリングする場合、上記過程と同様である。
【０１２３】
実施の際、マルチフレームスケジューリングを利用すれば、上記ｋ値がスペシャルサブフレームのみに対して定義される。サブフレームｎに、調整またはスケジューリング対象となる、ノーマルサブフレームｎ+ｍにおいて伝送されるＰＵＳＣＨがともに存在すれば、ｍの定義は、従来プロトコールにおける定義（表４に定義されたスケジューリングタイミング）と一致する。具体的に、前記サブフレームｎに、スペシャルサブフレームにおいて伝送されるＰＵＳＣＨをスケジューリングするアップリンクＤＣＩフォーマットを利用するダウンリンク制御チャネル及び/またはＰＨＩＣＨ、及びノーマルアップリンクサブフレームにおいて伝送されるＰＵＳＣＨをスケジューリングするアップリンクＤＣＩフォーマットを利用するダウンリンク制御チャネル及び/またはＰＨＩＣＨがともに存在すれば、
検出されたのがＵｐＰＴＳに対応するダウンリンク制御チャネル及び/またはＰＨＩＣＨであると判断した場合、上記ＵｐＰＴＳのスケジューリングタイミングによりターゲット ＰＵＳＣＨの伝送サブフレームを決定する。検出されたのがノーマルアップリンクサブフレームに対応するダウンリンク制御チャネル及び/またはＰＨＩＣＨであると判断した場合、従来プロトコール内のスケジューリングメカニズム（表４に定義されたスケジューリングタイミング）によりスケジューリング関係を決定する。
【０１２４】
端末側と対応する基地局側におけるＰＵＳＣＨの伝送方法としては、基地局は、サブフレームｎにおいて、アップリンクＤＣＩフォーマットを利用するダウンリンク制御チャネル及び/またはＰＨＩＣＨを送信し、端末がスペシャルサブフレームｎ+ｋにおいてＰＵＳＣＨを伝送するように、調整またはスケジューリングし、前記ｋは予め設定した値である。
【０１２５】
実施の際、ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【０１２６】
実施の際、ＴＤＤ  ＵＬ/ＤＬ構成１の場合、サブフレームｎ=０またはｎ=５において、ｋ=６またはｋ=１１と定義する。
【０１２７】
または、ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【０１２８】
実施の際、ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義する。
【０１２９】
または、ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義する。
【０１３０】
実施の際、ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義する。
【０１３１】
または、ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義する。
【０１３２】
実施の際、ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義する。
【０１３３】
または、ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義する。
【０１３４】
実施の際、ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義する。
【０１３５】
または、ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義する。 
実施の際、ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義する。
【０１３６】
実施の際、前記スペシャルサブフレームに対応するＰＨＩＣＨは、に対応するIPHICH =２に対応するＰＨＩＣＨまたはIPHICH =１に対応するＰＨＩＣＨであり、前記IPHICHは、ＰＨＩＣＨリソースを決定するためのパラメータである。
【０１３７】
実施の際、前記スペシャルサブフレームに対応するダウンリンク制御チャネルは、ＲＮＴＩまたはＤＣＩサイズまたはＤＣＩ内の指示フィールドにより決定されたスペシャルサブフレームに対応するダウンリンク制御チャネルである。
【０１３８】
以下に具体的な例を挙げて説明する。
【０１３９】
実施例１：
ＴＤＤ  ＵＬ/ＤＬ構成１の場合、端末が、サブフレーム０及びサブフレーム５においてＵｐＰＴＳにおいて伝送されるＰＵＳＣＨに対応するダウンリンク制御チャネル及び/またはＰＨＩＣＨを検出するように定義し、この際、サブフレーム０及びサブフレーム５にノーマルアップリンクサブフレームのスケジューリング情報が存在せず、ＵｐＰＴＳのスケジューリング情報のみが存在するため、ダウンリンク制御チャネル及び/またはＰＨＩＣＨを受信したサブフレームに基づき、ＵｐＰＴＳまたはノーマルアップリンクサブフレームに対応するスケジューリング情報であるかを判断でき、対応のスケジューリングタイミングの定義（即ち、ｋの定義）を選択することができる。この際、ＵｐＰＴＳに対応するＤＣＩサイズが従来のアップリンクＤＣＩフォーマットと一致かを限定せず、際設計してもよりく、従来のＤＣＩフォーマットを再利用することもできる。
【０１４０】
サブフレーム０において、アップリンクＤＣＩフォーマットを利用するダウンリンク制御チャネル及び/またはＰＨＩＣＨ検出されれば、ＵｐＰＴＳに対して定義したスケジューリングタイミングによって動作する。当該ダウンリンク制御チャネル及び/またはＰＨＩＣＨ情報により、サブフレームｎ+ｋ=６内のＵｐＰＴＳ内のＰＵＳＣＨ伝送を調整する。即ち、ＰＨＩＣＨのみが受信されれば、ＰＨＩＣＨに搬送されたのがＮＡＣＫである場合、前のＵｐＰＴＳ（例えば、直前の無線フレーム内のサブフレーム６内のＵｐＰＴＳ）におけるＰＵＳＣＨ伝送が失敗され、再伝送が必要であることを示す。端末は、前のＵｐＰＴＳ内のＰＵＳＣＨのスケジューリング情報により、サブフレーム６内のＵｐＰＴＳにおいて前記ＰＵＳＣＨを再伝送する。ＰＨＩＣＨ及びアップリンクＤＣＩフォーマットを利用するダウンリンク制御チャネルを同時に受信すれば、ダウンリンク制御チャネル内の情報に従う。当該ダウンリンク制御チャネル内のＮＤＩが前のＵｐＰＴＳ（例えば、直前の無線フレーム内のサブフレーム６内のＵｐＰＴＳ）のＰＵＳＣＨ伝送に対するＮＤＩに対し、反転していなければ（即ち、値が同様）、直前のＵｐＰＴＳサブフレーム１内のＰＵＳＣＨを反転する必要があると判断する。端末は、サブフレーム０受信したダウンリンク制御チャネル内の新しいスケジューリング情報（当該スケジューリング情報が指示可能のＰＵＳＣＨ伝送周波数リソース及び変調符号化レベルなどが初期伝送と異なる）により、サブフレーム６内のＵｐＰＴＳにおいて当該ＰＵＳＣＨを再伝送する。当該ダウンリンク制御チャネル内のＮＤＩが、直前のＵｐＰＴＳ（例えば、直前の無線フレーム内のサブフレーム６内のＵｐＰＴＳ）におけるＰＵＳＣＨ伝に対応するＮＤＩに対して、反転（即ち、値が異なる）すれば、当該ダウンリンク制御チャネルが、新しいＰＵＳＣＨをスケジューリングして初期伝送することを意味する。直前のＵｐＰＴＳ内のＰＵＳＣＨ伝送が成功して、端末ダウンリンク制御チャネル内の新しいスケジューリング情報により、サブフレーム６内のＵｐＰＴＳにおいて、新しいＰＵＳＣＨを伝送する。
【０１４１】
サブフレーム５において、アップリンクＤＣＩフォーマットを利用するダウンリンク制御チャネル及び/またはＰＨＩＣＨを検出すれば、スケジューリングまたは調整したＰＵＳＣＨが次の無線フレーム内のサブフレーム１内のＵｐＰＴＳにおいて伝送されることに対応し、流れは上述と同様である。
【０１４２】
サブフレーム１または６において、アップリンクＤＣＩフォーマットを利用するダウンリンク制御チャネル及び/またはＰＨＩＣＨが検出されれば、ノーマルアップリンクサブフレームに対応すると判断できる。表４に定義されたスケジューリングタイミングにより、サブフレーム７（ｃサブフレーム１に受信）または次の無線フレーム内のサブフレーム２（対応的に、サブフレーム６において受信する）内のＰＵＳＣＨ伝送をスケジューリング/調整することを決定する。
【０１４３】
実施例２：
ＴＤＤ  ＵＬ/ＤＬ構成１の場合、端末がサブフレーム１及びサブフレーム６においてＵｐＰＴＳにおいて伝送されるＰＵＳＣＨに対応するダウンリンク制御チャネル及び/またはＰＨＩＣＨを検出するように定義してもよい。この際、サブフレーム１及びサブフレーム６にノーマルアップリンクサブフレームのスケジューリング情報が存在する可能性があるため、サブフレーム１及びサブフレーム６に複数のサブフレームにおいて伝送されるＰＵＳＣＨのスケジューリング情報が存在する。サブフレーム１または６において伝送されるアップリンクＤＣＩフォーマットを利用するダウンリンク制御チャネルに対し、ダウンリンク制御チャネルのＤＣＩサイズまたはＤＣＩ内の指示フィールドまたはに用いられるＲＮＴＩにより、ＵｐＰＴＳまたはノーマルアップリンクサブフレームに対応するスケジューリング情報であるかを判断することができる。ＰＨＩＣＨに対し、ＰＨＩＣＨリソースに対応するIPHICH値により、ＵｐＰＴＳまたはノーマルアップリンクサブフレームに対応するスケジューリング情報であるかを、区分することができ、対応のスケジューリングタイミングの定義（即ち、ｋの定義）を選択することができる。
【０１４４】
サブフレーム１において、アップリンクＤＣＩフォーマットを利用するダウンリンク制御チャネル及び/またはＰＨＩＣＨを検出した場合
当該ダウンリンク制御チャネルに用いられるＤＣＩサイズまたはＤＣＩ内の指示フィールドまたはに用いられるＲＮＴＩにより、ＵｐＰＴＳを判断すれば、及び/またはIPHICH =１に対応するＰＨＩＣＨリソースにおいて、ＰＨＩＣＨを検出して、当該ＰＨＩＣＨがＵｐＰＴＳに対応すると判断すれば、ＵｐＰＴＳのＰＵＳＣＨスケジューリングタイミングの定義により、検出されたダウンリンク制御チャネル及び/またはＰＨＩＣＨ情報により、サブフレームｎ+ｋ=６内のＵｐＰＴＳ内のＰＵＳＣＨ伝送を調整する。即ち、上記ＰＨＩＣＨのみを受信すれば、ＰＨＩＣＨに搬送されたのがＮＡＣＫである場合、直前の直前のＵｐＰＴＳ（例えば、直前の無線フレーム内のサブフレーム６内のＵｐＰＴＳ）内のＰＵＳＣＨ伝送が失敗され、再伝送が必要とすることを意味する。端末は、直前のＵｐＰＴＳ内のＰＵＳＣＨのスケジューリング情報により、サブフレーム６内のＵｐＰＴＳにおいて、当該ＰＵＳＣＨを再伝送する。上記ＰＨＩＣＨ及びアップリンクＤＣＩフォーマットを利用するダウンリンク制御チャネルを同時に受信した場合、ダウンリンク制御チャネル内の情報に従う。当該ダウンリンク制御チャネル内のＮＤＩが直前のＵｐＰＴＳ（例えば、直前の無線フレーム内のサブフレーム６内のＵｐＰＴＳ）におけるＰＵＳＣＨ伝送に対応するＮＤＩに対し、反転（即ち、値が同様である）していなければ、直前のＵｐＰＴＳサブフレーム１内のＰＵＳＣＨが再伝送が必要であると決定する。端末は、サブフレーム０受信したダウンリンク制御チャネル内の新しいスケジューリング情報（当該スケジューリング情報が指示可能のＰＵＳＣＨ伝送周波数リソース及び変調符号化レベルなどが初期伝送と異なる）により、サブフレーム６内のＵｐＰＴＳにおいて当該ＰＵＳＣＨを再伝送する。当該ダウンリンク制御チャネル内のＮＤＩが、直前のＵｐＰＴＳ（例えば、直前の無線フレーム内のサブフレーム６内のＵｐＰＴＳ）におけるＰＵＳＣＨ伝に対応するＮＤＩに対しして反転すれば（即ち、値が異なる）、当該ダウンリンク制御チャネルスが新しいＰＵＳＣＨ初期伝送をケジューリングすることを意味する。直前のＵｐＰＴＳ内のＰＵＳＣＨ伝送が成功され、端末は、ダウンリンク制御チャネル内の新しいスケジューリング情報により、サブフレーム６内のＵｐＰＴＳにおいて新しいＰＵＳＣＨを伝送する。
【０１４５】
当該ダウンリンク制御チャネルに用いられるＤＣＩサイズまたはＤＣＩ内の指示フィールドまたはに用いられるＲＮＴＩにより、ノーマルアップリンクサブフレームに対応すると判断し、及び/またはIPHICH =０に対応するＰＨＩＣＨリソースによりＰＨＩＣＨを検出して、当該ＰＨＩＣＨがノーマルアップリンクサブフレームに対応すると判断すれば、ノーマルアップリンクサブフレーム内のＰＵＳＣＨスケジューリングタイミングの定義により、即ち、表４に示すように、検出されたダウンリンク制御チャネル及び/またはＰＨＩＣＨ情報により、サブフレームｎ+ｋ=７内のＵｐＰＴＳ内のＰＵＳＣＨ伝送を調整する。具体的に、ＰＨＩＣＨ及び/またはダウンリンク制御チャネルにより調整する流れは上述と類似する。
【０１４６】
サブフレーム６において、アップリンクＤＣＩフォーマットを利用するダウンリンク制御チャネル及び/またはＰＨＩＣＨを検出する流れは、上記サブフレーム１内の流れいと類似する。
【０１４７】
説明したいのは、ＴＤＤ  ＵＬ/ＤＬ構成０の場合、サブフレーム０/１/５/６において、検出されたのがＵｐＰＴＳに対応するダウンリンク制御チャネル及び/またはＰＨＩＣＨであると判断すれば、ＵｐＰＴＳのスケジューリングタイミングにより、ターゲット ＰＵＳＣＨの伝送サブフレームを決定する。検出されたのがノーマルアップリンクサブフレームに対応するダウンリンク制御チャネル及び/またはＰＨＩＣＨであると判断すれば、従来プロトコール内のスケジューリングメカニズムによりスケジューリング関係を決定する。例えば、ダウンリンク制御チャネル内のＵＬ ｉｎｄｅｘの上下位バイト情報状態により、ダウンリンク制御チャネルに対応するスケジューリング対象が、サブフレームｎ+ｋ及び/またはｎ+７内のＰＵＳＣＨ伝送であると判断し、ＰＨＩＣＨに対応するIPHICH =０または１により、ＰＨＩＣＨがサブフレームｎ+ｋ及び/またはｎ+７においてＰＵＳＣＨを再伝送することに対応すると決定する。
【０１４８】
同様な発明思想に基づき、本発明に係る実施例は、ＰＵＳＣＨ上の情報伝送装置を提供し、これらの装置による問題の解決の原理は、ＰＵＳＣＨ上の情報送信方法と同様であるので、これらの装置の実施は、本方法の実施を参照することができ、ここでは詳細を繰り返さない。
【０１４９】
図３は、端末におけるＰＵＳＣＨの伝送装置構成図であり、図に示すように、前記端末は、
サブフレームｎにおいてダウンリンク制御チャネル及び/またはＰＨＩＣＨを検出する検出モジュール３０１と、
サブフレームｎにおいて検出されたアップリンクＤＣＩフォーマットを利用するダウンリンク制御チャネル及び/またはＰＨＩＣＨに基づき、スペシャルサブフレームｎ+ｋにおいて伝送されるＰＵＳＣＨを調整またはスケジューリングする調整モジュール３０２とを備える。
【０１５０】
前記ｋは予め設定した値である。
【０１５１】
実施の際、ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【０１５２】
実施の際、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルである。
【０１５３】
実施の際、記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応する。
【０１５４】
実施の際、ＴＤＤ  ＵＬ/ＤＬ構成１の場合、サブフレームｎ=０またはｎ=５において、ｋ=６またはｋ=１１と定義する。
【０１５５】
または、ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【０１５６】
実施の際、ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義する。
【０１５７】
または、ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義する。
【０１５８】
実施の際、ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義する。
【０１５９】
または、ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義する。
【０１６０】
実施の際、ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義する。
【０１６１】
または、ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義する。
【０１６２】
実施の際、ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義する。
【０１６３】
または、ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義する。 
実施の際、ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義する。
【０１６４】
実施の際、前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータである。
【０１６５】
実施の際、前記スペシャルサブフレームに対応するダウンリンク制御チャネルは、ＲＮＴＩまたはＤＣＩサイズまたはＤＣＩ内の指示フィールドにより決定されたスペシャルサブフレームに対応するダウンリンク制御チャネルである。
【０１６６】
図４は基地局におけるＰＵＳＣＨの伝送装置構成図であり、図に示すように、当該基地局は、 
サブフレームｎにおいてアップリンクＤＣＩフォーマットを利用するダウンリンク制御チャネル及び/またはＰＨＩＣＨを伝送することを決定する決定モジュール４０１と、
サブフレームｎにおいて、アップリンクＤＣＩフォーマットを利用するダウンリンク制御チャネル及び/またはＰＨＩＣＨを送信し、端末がスペシャルサブフレームｎ+ｋにおいてＰＵＳＣＨを伝送するように、調整またはスケジューリングする送信モジュール４０２とを備える。
【０１６７】
前記ｋは予め設定した値である。
【０１６８】
実施の際、ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【０１６９】
実施の際、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルである。
【０１７０】
実施の際、前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応する。
【０１７１】
実施の際、ＴＤＤ  ＵＬ/ＤＬ構成１の場合、サブフレームｎ=０またはｎ=５において、ｋ=６またはｋ=１１と定義する。
【０１７２】
または、ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【０１７３】
実施の際、ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義する。
【０１７４】
または、ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義する。
【０１７５】
実施の際、ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義する。
【０１７６】
または、ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義する。
【０１７７】
実施の際、ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義する。
【０１７８】
または、ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義する。
【０１７９】
実施の際、ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義する。
【０１８０】
または、ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義する。 
実施の際、ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義する。
【０１８１】
実施の際、前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータである。
【０１８２】
実施の際、前記スペシャルサブフレームに対応するダウンリンク制御チャネルは、ＲＮＴＩまたはＤＣＩサイズまたはＤＣＩ内の指示フィールドにより決定されたスペシャルサブフレームに対応するダウンリンク制御チャネルである。
【０１８３】
説明の便宜のため、上記した装置の各部分は、機能ごとに様々なモジュールまたはユニットに分割されている。もちろん、本発明を実施する際に、各モジュールまたはユニットの機能を同じソフトウェアまたはハードウェアで実施することにより実現することができる。
【０１８４】
本発明の実施例に係る技術案を、以下のように実施することができる。
【０１８５】
図５は端末構成図であり、図に示すように、端末は、プロセッサ５００と、送受信機５１０とを備える。
【０１８６】
前記プロセッサ５００は、メモリ５２０に格納されたプログラムを読み出し、サブフレームｎにおいて検出されたアップリンクＤＣＩフォーマットを利用するダウンリンク制御チャネル及び/またはＰＨＩＣＨに基づき、スペシャルサブフレームｎ+ｋにおいて伝送されるＰＵＳＣＨを調整またはスケジューリングし、前記ｋは予め設定した値である。
【０１８７】
前記送受信機５１０は、プロセッサ５００の制御によりデータを送受信し、プロセッサのニーズに応じてデータを送受信する。
【０１８８】
実施の際、ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【０１８９】
実施の際、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルである。
【０１９０】
実施の際、前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応する。
【０１９１】
実施の際、ＴＤＤ  ＵＬ/ＤＬ構成１の場合、サブフレームｎ=０またはｎ=５において、ｋ=６またはｋ=１１と定義する。
【０１９２】
または、ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【０１９３】
実施の際、ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義する。
【０１９４】
または、ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義する。
【０１９５】
実施の際、ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義する。
【０１９６】
または、ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義する。
【０１９７】
実施の際、ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義する。
【０１９８】
または、ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義する。
【０１９９】
実施の際、ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義する。
【０２００】
または、ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義する。 
実施の際、ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義する。
【０２０１】
実施の際、前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータである。
【０２０２】
実施の際、前記スペシャルサブフレームに対応するダウンリンク制御チャネルは、ＲＮＴＩまたはＤＣＩサイズまたはＤＣＩ内の指示フィールドにより決定されたスペシャルサブフレームに対応するダウンリンク制御チャネルである。
【０２０３】
図５において、バスアーキテクバスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は複数の部品であることができ、即ち、ち、送信機及び受信機を備え、伝送媒体を介して他の装置と通信するユニットを提供する。異なるユーザー設備に対し、ユーザーインターフェース５３０は、外部接続または内部接続に必要な設備のインターフェースであることもできる。接続する設備は、キーパッド、ディスプレー、スピーカー、マイクロホン、ジョイスティック等を備えるが、これに限られない。
【０２０４】
プロセッサ５００バズアーキテクチャ及び通常の処理を管理し、メモリ５２０は、プロセッサ５００が動作する際に利用するデータを記憶することができる。
【０２０５】
図６は基地局構成図であり、図に示すように、基地局は、プロセッサ６００と、送受信機６１０とを備える。
【０２０６】
前記プロセッサ６００は、メモリ６２０に格納されたプログラムを読み出し、送受信機にニーズに応じてデータ処理を行い、
送受信機６１０は、プロセッサ６００の制御によりデータを送受信し、サブフレームｎにおいて、アップリンクＤＣＩフォーマットを利用するダウンリンク制御チャネル及び/またはＰＨＩＣＨを送信し、端末がスペシャルサブフレームｎ+ｋにおいてＰＵＳＣＨを伝送するように、調整またはスケジューリングし、前記ｋは予め設定した値である。
【０２０７】
実施の際、ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【０２０８】
実施の際、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルである。
【０２０９】
実施の際、前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応する。
【０２１０】
実施の際、ＴＤＤ  ＵＬ/ＤＬ構成１の場合、サブフレームｎ=０またはｎ=５において、ｋ=６またはｋ=１１と定義する。
【０２１１】
または、ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義する。
【０２１２】
実施の際、ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義する。
【０２１３】
または、ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義する。
【０２１４】
実施の際、ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義する。
【０２１５】
実施の際、ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義する。
【０２１６】
または、ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義する。
【０２１７】
実施の際、ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義する。
【０２１８】
または、ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義する。 
実施の際、ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義する。
【０２１９】
実施の際、前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータである。
【０２２０】
実施の際、前記スペシャルサブフレームに対応するダウンリンク制御チャネルは、ＲＮＴＩまたはＤＣＩサイズまたはＤＣＩ内の指示フィールドにより決定されたスペシャルサブフレームに対応するダウンリンク制御チャネルである。
【０２２１】
図６において、バスアーキテクバスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、即ち、ち、送信機及び受信機を備え伝送媒体を介して他の装置と通信するユニットを提供する。プロセッサ６００バズアーキテクチャ及び通常の処理を管理し、メモリ６２０は、プロセッサ６００が動作する際に利用するデータを記憶することができる。
【０２２２】
よって、本発明の実施例に係る技術案は、ＵｐＰＴＳにおいて伝送されるＰＵＳＣＨのスケジューリングタイミングを提供し、ＵｐＰＴＳにおいてＰＵＳＣＨを伝送するように確報できる。
【０２２３】
本分野の技術者として、本発明の実施本発明に係る実施形態が方法、システム、又はコンピュータプログラム製品を提供できるため、本発明は完全なハードウェア実施形態、完全なソフトウェア実施形態、又はソフトウェアとハードウェアの両方を結合した実施形態を採用できることがわかるはずである又、本発明は一つ又は複数のコンピュータプログラム製品の形式を採用できる。当該製品は、コンピュータ使用可能なプログラムコードを含むコンピュータ利用可能な記憶媒体（ディスク記憶装置、ＣＤ-ＲＯＭ、光学記憶装置などを含むがそれとは限らない）において実施する。
【０２２４】
以上は本発明に係る実施形態の方法、装置（システム）、及びコンピュータプログラム製品のフロー及び／又はブロック図により本発明を記述した。理解すべきことは、コンピュータプログラムの指令により、フロー及び／又はブロック図における各フロー及び／又はブロックと、フロー及び／又はブロック図におけるフロー及び／又はブロックの結合を実現できる。プロセッサはこれらのコンピュータプログラム指令を汎用コンピュータ、専用コンピュータ、組込み式処理装置、又は他のプログラミング可能なデータ処理装置に提供でき、コンピュータ又は他のプログラミング可能なデータ処理装置のプロセッサは、これらのコンピュータプログラム指令を実行し、フロー図における一つ又は複数のフロー及び／又はブロック図における１つのブロック又は複数のブロックに指定される機能を実現する。
【０２２５】
それらのコンピュータプログラム指令は又、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【０２２６】
これらのコンピュータプログラム指令は又、コンピュータ又は他のプログラミング可能なデータ処理装置に実施できる。コンピュータプログラム指令が実施されたコンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【０２２７】
本発明の好ましい実施形態について記述したが、当業者は、本発明の基本的な技術思想を把握した上、多種多様な変更と変形を行える。そのような全ての変形と変更は本発明に記述された実施形態と共に、付加する請求の範囲の範囲内にあると解釈されるべきである。
【０２２８】
無論、当業者により、上記した実施形態に記述された技術的な解決手段を改造し、又はその中の一部の技術要素を置換することもできる。そのような改造と置換は本発明の各実施形態の技術の範囲から逸脱するとは見なされない。
【０２２９】
本出願は、２０１６年６月２２日に中国特許局に提出し、出願番号が２０１６１０４６０６８５.７であり、発明名称が「物理アップリンク共有チャネルの伝送方法及び装置」、２０１６年８月５日に中国特許局に提出し、出願番号が２０１６１０６３９３３３.８、発明名称が「物理アップリンク共有チャネルの伝送方法及び装置」、及び２０１６年８月１５日に中国特許局に提出し、出願番号が２０１６１０６７１９４６.Xであり、発明名称が「物理アップリンク共有チャネルの伝送方法及び装置」、との中国特許出願、を基礎とする優先権を主張し、その開示の総てをここに取り込む。
【符号の説明】
【０２３０】
３０１  検出モジュール
３０２  調整モジュール
４０１  決定モジュール
４０２  送信モジュール
【図１】
2019519171.tif 000014
【図２】
2019519171.tif 000015
【図３】
2019519171.tif 000016
【図４】
2019519171.tif 000017
【図５】
2019519171.tif 000018
【図６】
2019519171.tif 000019
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
端末は、サブフレームｎにおいて検出されたアップリンクＤＣＩフォーマットを利用するダウンリンク制御チャネル及び/または物理ハイブリッド自動再送要求（ＨＡＲＱ）指示チャネル（ＰＨＩＣＨ）に基づき、スペシャルサブフレームｎ+ｋにおいて伝送されるＰＵＳＣＨを調整またはスケジューリングし、前記ｋは予め設定した値であることを特徴とする物理アップリンク共有チャネル（ＰＵＳＣＨ）の伝送方法。
【請求項２】
サブフレームｎにおいて検出されたアップリンクＤＣＩフォーマットを利用するダウンリンク制御チャネル及び/またはＰＨＩＣＨに基づき、下記の定義を用いてスペシャルサブフレームｎ+ｋにおいて伝送されるＰＵＳＣＨを調整またはスケジューリングし、
ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、
ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、
ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義し、
ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義し、
ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義し、
ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義し、
ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義することを特徴とする請求項１に記載の物理アップリンク共有チャネル（ＰＵＳＣＨ）の伝送方法。
【請求項３】
ＴＤＤ  ＵＬ/ＤＬ構成０の場合、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルであることを特徴とする請求項２に記載の物理アップリンク共有チャネル（ＰＵＳＣＨ）の伝送方法。
【請求項４】
前記ＵＬ ｉｎｄｅｘの最低有効ビットＬＳＢと最高有効ビットＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応することを特徴とする請求項３に記載の物理アップリンク共有チャネル（ＰＵＳＣＨ）の伝送方法。
【請求項５】
前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータであり、
及び/または、
前記スペシャルサブフレームに対応するダウンリンク制御チャネルは、無線ネットワーク一時識別子（ＲＮＴＩ）や、ＤＣＩサイズや、ＤＣＩ内の指示フィールドにより決定されたスペシャルサブフレームに対応するダウンリンク制御チャネルであることを特徴とする請求項２ないし請求項４のいずれか１項に記載の物理アップリンク共有チャネル（ＰＵＳＣＨ）の伝送方法。
【請求項６】
基地局は、サブフレームｎにおいて、アップリンクＤＣＩフォーマットを利用するダウンリンク制御チャネル及び/または物理ハイブリッド自動再送要求（ＨＡＲＱ）指示チャネル（ＰＨＩＣＨ）を送信して、端末がスペシャルサブフレームｎ+ｋにおいてＰＵＳＣＨを伝送するように、調整またはスケジューリングし、前記ｋは予め設定した値であることを特徴とする物理アップリンク共有チャネル（ＰＵＳＣＨ）の伝送方法。
【請求項７】
サブフレームｎにおいて検出されたアップリンクＤＣＩフォーマットを利用するダウンリンク制御チャネル及び/またはＰＨＩＣＨに基づき、下記の定義を用いてスペシャルサブフレームｎ+ｋにおいて伝送されるＰＵＳＣＨを調整またはスケジューリングし、
ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、
ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、
ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義し、
ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義し、
ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義し、
ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義することを特徴とし、
ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義することを特徴とする請求項６に記載の物理アップリンク共有チャネル（ＰＵＳＣＨ）の伝送方法。
【請求項８】
ＴＤＤ  ＵＬ/ＤＬ構成０の場合、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルであることを特徴とする請求項７に記載の物理アップリンク共有チャネル（ＰＵＳＣＨ）の伝送方法。
【請求項９】
前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応することを特徴とする請求項８に記載の物理アップリンク共有チャネル（ＰＵＳＣＨ）の伝送方法。
【請求項１０】
前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータであり、
及び/または、
前記スペシャルサブフレームに対応するダウンリンク制御チャネルは、無線ネットワーク一時識別子（ＲＮＴＩ）や、ＤＣＩサイズや、ＤＣＩ内の指示フィールドにより決定されたスペシャルサブフレームに対応するダウンリンク制御チャネルであることを特徴とする請求項７ないし請求項９のいずれか１項に記載の物理アップリンク共有チャネル（ＰＵＳＣＨ）の伝送方法。
【請求項１１】
サブフレームｎにおいて、ダウンリンク制御チャネル及び/または物理ハイブリッド自動再送要求（ＨＡＲＱ）指示チャネル（ＰＨＩＣＨ）を検出する検出モジュールと、
サブフレームｎにおいて検出されたアップリンクＤＣＩフォーマットを利用するダウンリンク制御チャネル及び/またはＰＨＩＣＨに基づき、スペシャルサブフレームｎ+ｋにおいて伝送されるＰＵＳＣＨを調整またはスケジューリングする調整モジュールとを備え、
前記ｋは予め設定した値であることを特徴とする物理アップリンク共有チャネル（ＰＵＳＣＨ）の伝送装置。
【請求項１２】
サブフレームｎにおいて検出されたアップリンクＤＣＩフォーマットを利用するダウンリンク制御チャネル及び/またはＰＨＩＣＨに基づき、下記の定義を用いてスペシャルサブフレームｎ+ｋにおいて伝送されるＰＵＳＣＨを調整またはスケジューリングし、
ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、
ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、
ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義し、
ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義し、
ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義し、
ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義し、
ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義することを特徴とする請求項１１に記載の物理アップリンク共有チャネル（ＰＵＳＣＨ）の伝送装置。
【請求項１３】
ＴＤＤ  ＵＬ/ＤＬ構成０の場合、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルであることを特徴とする請求項１２に記載の物理アップリンク共有チャネル（ＰＵＳＣＨ）の伝送装置。
【請求項１４】
前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応することを特徴とする請求項１３に記載の物理アップリンク共有チャネル（ＰＵＳＣＨ）の伝送装置。
【請求項１５】
前記スペシャルサブフレームに対応するＰＨＩＣＨは、IPHICH =２に対応するＰＨＩＣＨまたはIPHICH =１に対応するＰＨＩＣＨであり、
前記IPHICHは、ＰＨＩＣＨリソースを決定するためのパラメータであり、
及び/または、
前記スペシャルサブフレームに対応するダウンリンク制御チャネルは、無線ネットワーク一時識別子（ＲＮＴＩ）や、ＤＣＩサイズや、ＤＣＩ内の指示フィールドにより決定されたスペシャルサブフレームに対応するダウンリンク制御チャネルであることを特徴とする請求項１２ないし請求項１４のいずれか１項に記載の物理アップリンク共有チャネル（ＰＵＳＣＨ）の伝送装置。
【請求項１６】
サブフレームｎにおいて、アップリンクＤＣＩフォーマットを利用するダウンリンク制御チャネル及び/または物理ハイブリッド自動再送要求（ＨＡＲＱ）指示チャネル（ＰＨＩＣＨ）を送信することを決定する決定モジュールと、
サブフレームｎにおいて、アップリンクＤＣＩフォーマットを利用するダウンリンク制御チャネル及び/またはＰＨＩＣＨを送信し、端末がスペシャルサブフレームｎ+ｋにおいてＰＵＳＣＨを伝送するように、調整またはスケジューリングする送信モジュールとを備え、
前記ｋは予め設定した値であることを特徴とする物理アップリンク共有チャネル（ＰＵＳＣＨ）の伝送装置。
【請求項１７】
サブフレームｎにおいて検出されたアップリンクＤＣＩフォーマットを利用するダウンリンク制御チャネル及び/またはＰＨＩＣＨに基づき、下記の定義を用いてスペシャルサブフレームｎ+ｋにおいて伝送されるＰＵＳＣＨを調整またはスケジューリングし、
ＴＤＤ  ＵＬ/ＤＬ構成０の場合、サブフレームｎ=０またはｎ=５において、スペシャルサブフレームに対応するＰＨＩＣＨ及び/またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、
ＴＤＤ  ＵＬ/ＤＬ構成１の場合、サブフレームｎ=０またはｎ=５において、ｋ=６またはｋ=１１と定義し、または、
ＴＤＤ  ＵＬ/ＤＬ構成１の場合、サブフレームｎ=４またはｎ=９において、スペシャルサブフレームに対応するＰＨＩＣＨ及び/またはダウンリンク制御チャネルに対し、ｋ=２またはｋ=７またはｋ=１２と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、
ＴＤＤ  ＵＬ/ＤＬ構成２の場合、サブフレームｎ=４またはｎ=９において、ｋ=２またはｋ=７またはｋ=１２と定義し、または、サブフレームｎ=０またはｎ=５において、ｋ=６またはｋ=１１と定義し、または、サブフレームｎ=１またはｎ=６において、ｋ=５またはｋ=１０と定義し、または、
ＴＤＤ  ＵＬ/ＤＬ構成２の場合、サブフレームｎ=３またはｎ=８において、スペシャルサブフレームに対応するＰＨＩＣＨ及び/またはダウンリンク制御チャネルに対し、ｋ=３またはｋ=８またはｋ=１３と定義し、
ＴＤＤ  ＵＬ/ＤＬ構成３の場合、サブフレームｎ=７において、ｋ=４と定義し、または、サブフレームｎ=５において、ｋ=６と定義し、または、サブフレーム６において、ｋ=５と定義し、または、サブフレームｎ=１において、ｋ=１０と定義し、または、
ＴＤＤ  ＵＬ/ＤＬ構成３の場合、サブフレームｎ=８において、スペシャルサブフレームに対応するＰＨＩＣＨ及び/またはダウンリンク制御チャネルに対し、ｋ=３またはｋ=１３と定義し、または、サブフレームｎ=９において、スペシャルサブフレームに対応するＰＨＩＣＨ及び/またはダウンリンク制御チャネルに対し、ｋ=２またはｋ=１２と定義し、または、サブフレームｎ=０において、スペシャルサブフレームに対応するＰＨＩＣＨ及び/またはダウンリンク制御チャネルに対し、ｋ=１１と定義し、
ＴＤＤ  ＵＬ/ＤＬ構成４の場合、サブフレームｎ=４において、ｋ=７と定義し、または、サブフレームｎ=５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、
ＴＤＤ  ＵＬ/ＤＬ構成４の場合、サブフレームｎ=８において、スペシャルサブフレームに対応するＰＨＩＣＨ及び/またはダウンリンク制御チャネルに対し、ｋ=３またはｋ=１３と定義し、または、サブフレーム９において、スペシャルサブフレームに対応するＰＨＩＣＨ及び/またはダウンリンク制御チャネルに対し、ｋ=２またはｋ=１２と定義し、
ＴＤＤ  ＵＬ/ＤＬ構成５の場合、サブフレームｎ=３において、ｋ=８と定義し、または、サブフレームｎ=４において、ｋ=７と定義し、または、サブフレーム５において、ｋ=６と定義し、または、サブフレーム６において、ｋ=５と定義し、または、サブフレームｎ=７において、ｋ=４と定義し、または、サブフレームｎ=０において、ｋ=１１と定義し、または、サブフレームｎ=１において、ｋ=１０と定義し、または、サブフレームｎ=９において、ｋ=２またはｋ=１２と定義し、または、
ＴＤＤ  ＵＬ/ＤＬ構成５の場合、サブフレームｎ=８において、スペシャルサブフレームに対応するＰＨＩＣＨ及び/またはダウンリンク制御チャネルに対し、ｋ=３またはｋ=１３と定義し、
ＴＤＤ  ＵＬ/ＤＬ構成６の場合、サブフレームｎ=０またはｎ=５において、スペシャルサブフレームに対応するＰＨＩＣＨ和またはダウンリンク制御チャネルに対し、ｋ=６またはｋ=１１と定義し、または、サブフレームｎ=１またはｎ=６において、スペシャルサブフレームに対応するＰＨＩＣＨ及び/またはダウンリンク制御チャネルに対し、ｋ=５またはｋ=１０と定義し、または、サブフレーム９において、スペシャルサブフレームに対応するＰＨＩＣＨ及び/またはダウンリンク制御チャネルに対し、ｋ=２またはｋ=７またはｋ=１２と定義することを特徴とする請求項１６に記載の物理アップリンク共有チャネル（ＰＵＳＣＨ）の伝送装置。
【請求項１８】
ＴＤＤ  ＵＬ/ＤＬ構成０の場合、前記スペシャルサブフレームに対応するダウンリンク制御チャネルは、前記ダウンリンク制御チャネルにおける２ビットのアップリンクインデックスＵＬ ｉｎｄｅｘ指示フィールドにより決定したスペシャルサブフレームに対応するダウンリンク制御チャネルであることを特徴とする請求項１７に記載の物理アップリンク共有チャネル（ＰＵＳＣＨ）の伝送装置。
【請求項１９】
前記ＵＬ ｉｎｄｅｘのＬＳＢとＭＳＢのいずれも０と設定される場合、前記ダウンリンク制御チャネルは、スペシャルサブフレームにおいて伝送されるＰＵＳＣＨに対応し、前記ＵＬ ｉｎｄｅｘのＬＳＢまたはＭＢＳのうちの少なくとも１つが１と設定される場合、前記ダウンリンク制御チャネルは、ノーマルアップリンクサブフレームにおいて伝送されるＰＵＳＣＨに対応することを特徴とする請求項１８に記載の物理アップリンク共有チャネル（ＰＵＳＣＨ）の伝送装置。
【請求項２０】
前記スペシャルサブフレームに対応するＰＨＩＣＨは、IPHICH =２に対応するＰＨＩＣＨまたはIPHICH =１に対応するＰＨＩＣＨであり、前記IPHICHは、ＰＨＩＣＨリソースを決定するためのパラメータであり、
及び/または、
前記スペシャルサブフレームに対応するダウンリンク制御チャネルは、無線ネットワーク一時識別子（ＲＮＴＩ）や、ＤＣＩサイズや、ＤＣＩ内の指示フィールドにより決定されたスペシャルサブフレームに対応するダウンリンク制御チャネルであることを特徴とする請求項１７ないし請求項１９のいずれか１項に記載の物理アップリンク共有チャネル（ＰＵＳＣＨ）の伝送装置。
【国際調査報告】
2019519171.tif 000020
2019519171.tif 000021
2019519171.tif 000022
2019519171.tif 000023